(57)【要約】【課題】洗浄時間が短くても十分な洗浄力が発現する衣料用液体洗浄剤組成物を提供する。【解決手段】（ａ）一般式（１）で表される非イオン界面活性剤、（ｂ）一般式（２）で表される陰イオン界面活性剤、所定量の（ｃ）水酸基を１つ以上有する有機溶剤及び水を配合してなり、（ａ）成分の配合量と（ｂ）成分の配合量との質量比（ｂ）／（ａ）が０．５以上、１０以下である、衣料用液体洗浄剤組成物。      Ｒ1Ｏ−（ＥＯ）mＨ            （１）〔式中、Ｒ1は炭素数８〜１８の炭化水素基、ＥＯはエキレンオキシ基、ｍは１〜１０の平均付加モル数である。〕      Ｒ2Ｏ−（Ａ1Ｏ）p−（ＥＯ）q−ＳＯ3Ｍ        （２）〔式中、Ｒ2は炭素数８〜２２の炭化水素基、Ａ1Ｏは炭素数３のアルキレンオキシ基及び／又は炭素数４のアルキレンオキシ基、ＥＯはエチレンオキシ基、ｐ、ｑは、それぞれ、０．５〜５の平均付加モル数、Ｍは陽イオンである。〕【選択図】なし【特許請求の範囲】
【請求項１】
下記（ａ）成分、（ｂ）成分、（ｃ）成分及び水を配合してなり、（ａ）成分の配合量と（ｂ）成分配合量の合計の配合量が１５質量％以上、７０質量％以下であり、（ａ）成分の配合量と（ｂ）成分の配合量との質量比が、（ｂ）成分／（ａ）成分で、０．５以上、１０以下である、衣料用液体洗浄剤組成物。
（ａ）成分：下記一般式（１）で表される非イオン界面活性剤
Ｒ1Ｏ−（ＥＯ）mＨ            （１）
〔式中、Ｒ1は炭素数８以上、１８以下の炭化水素基を示し、ＥＯはエキレンオキシ基を示し、ｍは平均付加モル数を示し、ｍは１以上、１０以下の数である。〕
（ｂ）成分：下記一般式（２）で表される陰イオン界面活性剤
Ｒ2Ｏ−（Ａ1Ｏ）p−（ＥＯ）q−ＳＯ3Ｍ        （２）
〔式中、Ｒ2は炭素数８以上、２２以下の炭化水素基を示し、Ａ1Ｏは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。Ｍは陽イオンである。〕
（ｃ）水酸基を１つ以上有する有機溶剤  ５質量％以上、４０質量％以下（質量％は、全配合原料の合計に対する質量％である。）
【請求項２】
（ｂ）成分が、前記一般式（２）中のｐが１以上、３以下の数の陰イオン界面活性剤である、請求項１記載の衣料用液体洗浄剤組成物。
【請求項３】
（ａ）成分の配合量と（ｂ）成分の配合量の合計が、全配合原料の合計質量に対して、３０質量％以上、７０質量％以下である、請求項１又は２に記載の衣料用液体洗浄剤組成物。
【請求項４】
２０℃におけるｐＨが、６以上、１１以下である、請求項１〜３の何れかに記載の衣料用液体洗浄剤組成物。
【請求項５】
（ａ）成分の配合量と（ｂ）成分の配合量との質量比が、（ｂ）成分／（ａ）成分で０．５以上、３以下である、請求項１〜４の何れかに記載の衣料用液体洗浄剤組成物。
【請求項６】
（ａ）成分の配合量と（ｃ）成分の配合量との質量比が、（ａ）成分／（ｃ）成分で０．５以上、２．５以下である、請求項１〜５の何れかに記載の衣料用液体洗浄剤組成物。
【請求項７】
（ａ）成分中、前記一般式（１）中のＲ1が分岐鎖の第１級の炭化水素基である非イオン界面活性剤及び前記一般式（１）中のＲ1が直鎖の第２級の炭化水素基である非イオン界面活性剤から選ばれる非イオン界面活性剤（ａ１）の割合が、５０質量％以上である、請求項１〜６の何れかに記載の衣料用液体洗浄剤組成物。
【請求項８】
（ａ）成分として、前記一般式（１）中のＲ1が分岐鎖の第１級の炭化水素基である非イオン界面活性剤及び前記一般式（１）中のＲ1が直鎖の第２級の炭化水素基である非イオン界面活性剤から選ばれる非イオン界面活性剤（ａ１）と、前記一般式（１）中のＲ1が直鎖の第１級の炭化水素基である非イオン界面活性剤（ａ２）とを配合してなる、請求項１〜７の何れかに記載の衣料用液体洗浄剤組成物。
【請求項９】
更に下記（ｄ）成分を配合してなり、（ａ）成分の配合量と（ｄ）成分の配合量の合計と、（ｂ）成分の配合量との質量比が、（ｂ）成分／〔（ａ）成分＋（ｄ）成分〕で０．４以上、３以下である、請求項１〜８の何れかに記載の衣料用液体洗浄剤組成物。
（ｄ）成分：下記一般式（３）で表される非イオン界面活性剤
Ｒ3Ｏ−（Ａ2Ｏ）nＨ        （３）
〔式中、Ｒ3は炭素数８以上、２２以下の炭化水素基を示し、Ａ2Ｏは炭素数２以上、５以下のアルキレンオキシ基を示し、ｎは平均付加モル数を示し、１６以上、３５以下の数である。Ａ2Ｏはエチレンオキシ基を平均１４モル以上含む。但し、Ａ2Ｏがすべてエチレンオキシ基の場合は、ｎは１８以上の数である。〕
【請求項１０】
陽イオン界面活性剤の配合量が５質量％以下である、請求項１〜９の何れかに記載の衣料用液体洗浄剤組成物。
【請求項１１】
水と、請求項１〜１０の何れかに記載の衣料用液体洗浄剤組成物０．０１質量％以上、０．１質量％以下とを含有する、温度が０℃以上、３５℃以下の洗浄液で、衣料の質量と前記洗浄液の量（リットル）の比で表される浴比が、洗浄液の量（リットル）／衣料の質量（ｋｇ）＝３以上、５０以下の条件で、衣料を１分間以上、７分間以下洗浄する、衣料の洗浄方法。
【請求項１２】
衣料の洗浄を、回転式洗濯機を用いて行う、請求項１１に記載の衣料の洗浄方法。
【発明の詳細な説明】
【技術分野】
【０００１】
本発明は、衣料用液体洗浄剤組成物に関する。
【背景技術】
【０００２】
近年、世界規模でのエネルギー問題、二酸化炭素排出量の削減、渇水化問題などが深刻化しており、環境に対する意識が高まっている。容器樹脂量の削減、輸送燃料費の削減、使用後のゴミの削減等から、高濃度タイプの液体洗浄剤組成物に関する技術が開示されている。例えば特許文献１には、（ａ）アルキレンオキシ基の平均付加モル数が１６〜３５である非イオン界面活性剤、（ｂ）炭素数３及び／又は４のアルキレンオキシ基を有する陰イオン界面活性剤、並びに（ｃ）特定の溶剤を含有し、界面活性剤の濃度が高い液体洗浄剤組成物が開示されている。しかしながら、洗浄速度の向上を示唆する記載はない。
【０００３】
また、従来から、陰イオン界面活性剤は衣料用の液体洗浄剤組成物に配合する界面活性剤として知られており、例えば、分子内にエチレンオキシ基とプロピレンオキシ基を有する陰イオン界面活性剤は従来から使用されている。特許文献２には、陽イオン活性剤、分子内にエチレンオキシ基とプロピレンオキシ基とを含む陰イオン活性剤を含有する洗浄剤組成物が開示されている。しかしながら、洗浄速度の向上を示唆する記載はない。
【０００４】
一方、家庭用の全自動洗濯機、より具体的には家庭用のドラム式全自動洗濯機、家庭用のパルセータ式全自動洗濯機又は家庭用のアジテータ式全自動洗濯機においては、標準コース以外にも、洗浄、濯ぎ及び脱水時間からなる洗濯時間を短くできる洗濯コース（スピードコースと呼ばれることもある）が備えられている機種が存在する。洗濯時間を短くするコースにおいては、すすぎ回数を少なくしたり、洗浄剤組成物で衣料を洗浄する時間を短くすることが行われている。標準コースでの洗濯時間は１０分〜１５分に設定されている場合が一般的であるが、スピードコースの洗濯時間は、例えば５分と短く設定されている場合がある。また、使用者が任意で洗濯時間を５分に設定する場合がある。使用者は、スピードコースを選択することで、洗濯に要する時間を短くでき、時間を有効に使える。また、洗濯に必要な電気量を少なくできる。洗濯時間を短くするコースを選択した場合、すすぎの回数の低減や、洗浄時間の短縮といった効果が得られる。
【先行技術文献】
【特許文献】
【０００５】
【特許文献１】特開２０１１−２０８１３０号公報
【特許文献２】特開昭５６−５８９６号公報
【発明の概要】
【発明が解決しようとする課題】
【０００６】
前記のようなスピードコースで洗濯を行う場合、使用者は、洗浄時間が短くても、通常の洗濯コースと同じ汚れ落ちを期待する。しかしながら、洗浄時間が短くなると、洗浄時間の短縮から予測される程度よりも洗浄性能の低下が大きくなる傾向にあることが見出された。
【０００７】
本発明は、洗浄時間が短くても十分な洗浄力が発現する衣料用液体洗浄剤組成物を提供する。具体的には、１０分の洗濯時間と同等の洗浄力が５分の洗濯時間で達成できる衣料用液体洗浄剤組成物を提供する。
【課題を解決するための手段】
【０００８】
本発明は、下記（ａ）成分、（ｂ）成分、（ｃ）成分及び水を配合してなり、（ａ）成分の配合量と（ｂ）成分配合量の合計の配合量が１５質量％以上、７０質量％以下であり、（ａ）成分の配合量と（ｂ）成分の配合量との質量比が、（ｂ）成分／（ａ）成分で、０．５以上、１０以下である、衣料用液体洗浄剤組成物に関する。
（ａ）成分：下記一般式（１）で表される非イオン界面活性剤
Ｒ1Ｏ−（ＥＯ）mＨ            （１）
〔式中、Ｒ1は炭素数８以上、１８以下の炭化水素基を示し、ＥＯはエキレンオキシ基を示し、ｍは平均付加モル数を示し、ｍは１以上、１０以下の数である。〕
（ｂ）成分：下記一般式（２）で表される陰イオン界面活性剤
Ｒ2Ｏ−（Ａ1Ｏ）p−（ＥＯ）q−ＳＯ3Ｍ        （２）
〔式中、Ｒ2は炭素数８以上、２２以下の炭化水素基を示し、Ａ1Ｏは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。Ｍは陽イオンである。〕
（ｃ）水酸基を１つ以上有する有機溶剤  ５質量％以上、４０質量％以下（質量％は、全配合原料の合計に対する質量％である。）
【０００９】
また、本発明は、水と、上記本発明の衣料用液体洗浄剤組成物０．０１質量％以上、０．１質量％以下とを含有する、温度が０℃以上、３５℃以下の洗浄液で、衣料の質量と前記洗浄液の量（リットル）の比で表される浴比が、洗浄液の量（リットル）／衣料の質量（ｋｇ）＝３以上、５０以下の条件で、衣料を１分間以上、７分間以下洗浄する、衣料の洗浄方法に関する。
【発明の効果】
【００１０】
本発明によれば、洗浄時間が短くても十分な洗浄力が発現する衣料用液体洗浄剤組成物が提供される。本発明の衣料用液体洗浄剤組成物は、スピードコースを選択した場合であっても、洗浄時間が十分な標準コースと同等の洗浄力が達成できる。また、本発明の衣料用液体洗浄剤組成物は、皮脂汚れの洗浄速度のみならず、とりわけ落ちにくい食べこぼし汚れの洗浄性能に優れる。
【発明を実施するための形態】
【００１１】
本発明者らは、（ａ）成分と（ｂ）成分を特定の配合量及び質量比で配合し、（ｃ）成分を併用することで、洗浄時間が十分な標準コースと同等の洗浄力を、洗浄時間が短くても達成できることを見出した。以下、本発明について説明するが、「洗浄時間が十分な標準コースと同等以上の洗浄力を、洗浄時間が短くても達成できる」という意味を「洗浄速度が速い」又は「洗浄速度を向上できる」と表現する場合がある。
【００１２】
＜（ａ）成分＞
本発明で用いられる（ａ）成分の非イオン界面活性剤は、下記一般式（１）で表される化合物である。
Ｒ1Ｏ−（ＥＯ）mＨ            （１）
〔式中、Ｒ1は炭素数８以上、１８以下の炭化水素基を示し、ＥＯはエキレンオキシ基を示し、ｍは平均付加モル数を示し、ｍは１以上、１０以下の数である。〕
【００１３】
（ａ）成分の一般式（１）中、Ｒ1は炭素数８以上、１８以下の炭化水素基であり、洗浄力の点から、炭素数１０以上、更に１１以上、そして、１６以下、更に１４以下の炭化水素基が好ましい。Ｒ1の炭化水素基としては、洗浄力の点から、アルキル基、アルケニル基が好ましく、アルキル基がより好ましい。Ｒ1は、洗浄力の点から、直鎖又は分岐鎖の炭化水素基が好ましく、直鎖の炭化水素基がより好ましい。洗浄力の点から、Ｒ1は、直鎖の炭化水素基は、直鎖の第１級の炭化水素基が好ましい。また、洗浄速度を向上できる観点から、Ｒ1は、分岐鎖の第１級の炭化水素基及び直鎖の第２級炭化水素基から選ばれる基が好ましい。一般式（１）において酸素原子に結合するＲ1の炭素原子は、第１級の炭素原子でもよく、第２級の炭素原子でもよい。洗浄力の点から、一般式（１）において酸素原子に結合するＲ1の炭素原子は、直鎖の第１級の炭化水素基が好ましく、洗浄速度を向上できる観点から、第２級の炭素原子が好ましい。洗浄力の点から、Ｒ1は、炭素数１０以上、１６以下の直鎖の第１級のアルキル基が好ましい。洗浄速度を向上できる観点から、Ｒ1は、炭素数１０以上、１６以下の分岐鎖の第１級アルキル基及び炭素数１０以上、１６以下の直鎖の第２級アルキル基から選ばれる基が好ましい。
【００１４】
一般式（１）の化合物を得る方法は、特に限定されるものではないが、炭素数８以上、１８以下の炭化水素基を有するアルコールに、エチレンオキシドを付加反応することによって得ることができる。エチレンオキシドの平均付加モル数ｍは、１以上、１０以下である。皮脂汚れの洗浄力の点から、ｍは１以上であり、２以上、更に２．５以上、更に３以上が好ましい。また、洗浄速度を向上できる点、及び食べこぼし汚れに液体洗浄剤を直接塗布した時の洗浄力の点で、１０以下であり、９以下、更に８以下が好ましい。
【００１５】
（ａ）成分としては、洗浄力の観点から、一般式（１）中のＲ1が炭素数１０以上、１４以下の直鎖の第１級又は第２級のアルキル基であり、平均付加モル数であるｍが３以上、８以下の数である非イオン界面活性剤が好ましい。
【００１６】
また、（ａ）成分としては、洗浄速度を向上できる観点から、一般式（１）中のＲ1が分岐鎖の第１級の炭化水素基である非イオン界面活性剤及び一般式（１）中のＲ1が直鎖の第２級の炭化水素基である非イオン界面活性剤から選ばれる非イオン界面活性剤（ａ１）〔以下、（ａ１）成分という〕を含む（ａ）成分が好ましい。（ａ１）成分は、一般式（１）中のＲ1の炭化水素基がアルキル基であることが好ましい。よって（ａ１）成分は、一般式（１）中のＲ1が炭素数８以上、１８以下の分岐鎖の第１級アルキル基である非イオン界面活性剤及び一般式（１）中のＲ1が炭素数８以上、１８以下の直鎖の第２級アルキル基を有する非イオン界面活性剤から選ばれる非イオン界面活性剤が好ましい。（ａ１）成分を用いる場合、（ａ）成分中、（ａ１）成分の割合が、５０質量％以上、更に７０質量％以上、更に９０質量％以上であることが好ましい。
【００１７】
更に、（ａ）成分としては、洗浄速度を向上できる観点から、前記（ａ１）成分と、一般式（１）中のＲ1が直鎖の第１級の炭化水素基である非イオン界面活性剤（ａ２）〔以下、（ａ２）成分という〕との組み合わせであることが好ましい。（ａ１）成分と（ａ２）成分とを用いる場合、（ａ）成分中、（ａ１）成分と（ａ２）成分の合計の割合が５０質量％以上であることが、洗浄速度を向上できる点で好ましく、７０質量％以上がより好ましく、９０質量％以上が更に好ましい。
【００１８】
（ａ）成分の最も好ましい態様は、洗浄速度を向上できる観点から、（ａ）成分が（ａ１）成分と（ａ２）成分とを含み、（ａ１）成分と（ａ２）成分の配合比率が、（ａ１）成分／（ａ２）成分の質量比で、好ましくは０．５以上、より好ましくは０．７以上、更に好ましくは０．９以上、より更に好ましくは１．０以上であり、そして、衣料に付着した食べこぼし汚れの洗浄力の点から、好ましくは７以下、より好ましくは５以下、更に好ましくは４以下、より更に好ましくは３以下、より更に好ましくは２以下であることである。
【００１９】
洗浄速度を向上でき、且つ衣料に付着した食べこぼし汚れの洗浄力を両立できる点で、（ａ１）成分／（ａ２）成分の質量比は、０．７〜５が好ましく、０．９〜３がより好ましく、１．０〜２以下が更に好ましい。
【００２０】
＜（ｂ）成分＞
（ｂ）成分を（ａ）成分と特定の比率で配合し、且つ特定量の（ｃ）成分を併用することで、洗浄速度を向上できる衣料用液体洗浄剤組成物を得ることが出来る。
【００２１】
本発明で用いられる（ｂ）成分の陰イオン界面活性剤は、下記一般式（２）で表される化合物である。
Ｒ2Ｏ−（Ａ1Ｏ）p−（ＥＯ）q−ＳＯ3Ｍ        （２）
〔式中、Ｒ2は炭素数８以上、２２以下の炭化水素基を示し、Ａ1Ｏは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。Ｍは陽イオンである。〕
【００２２】
（ｂ）成分の一般式（２）中、Ｒ2は炭素数８以上、２２以下の炭化水素基である。Ｒ2は、洗浄力の点で炭素数８以上であり、１０以上、更に１２以上が好ましく、そして、１６以下、更に１４以下が好ましい。Ｒ2の炭化水素基としては、洗浄力の点から、アルキル基、アルケニル基が好ましく、アルキル基がより好ましい。Ｒ2は、洗浄力や原料の入手性の点から、直鎖の炭化水素基、更に直鎖のアルキル基、更に直鎖の第１級アルキル基が好ましい。Ｒ2は、炭素数１２以上、１４以下のアルキル基、更に直鎖アルキル基、更に直鎖の第１級アルキル基が好ましい。一般式（２）において酸素原子に結合するＲ2の炭素原子は食べこぼし汚れに液体洗浄剤組成物を直接塗布した時の洗浄力の点で第１級の炭素原子が好ましい。
【００２３】
一般式（２）中のＡ1Ｏである炭素数３又は炭素数４のアルキレンオキシ基としては、オキシトリメチレン基、オキシプロパン−１，２−ジイル基、オキシブタン−１，２−ジイル基、オキシブタン−１，３−ジイル基、オキシブタン−２，３−ジイル基、オキシテトラメチレン基から選ばれる１種以上の基が挙げられる。入手性の点から、オキシプロパン−１，２−ジイル基〔一般的にプロピレンオキシ基と呼ばれることもある。〕及びオキシブタン−１，２−ジイル基（一般的にブチレンオキシ基と呼ばれることもある。）から選ばれる１種以上の基が好ましく、オキシプロパン−１，２−ジイル基が更に好ましい。
【００２４】
一般式（２）中のｐは、Ａ1Ｏの平均付加モル数であり、０．５以上、５以下の数である。皮脂汚れに対する洗浄力の点から、ｐは、好ましくは０．８以上であり、より好ましくは１以上であり、更に好ましくは１．１以上であり、より更に好ましくは１．２以上であり、より更に好ましくは１．３以上であり、より更に好ましくは１．４以上であり、より更に好ましくは１．５以上であり、より更に好ましくは１．８以上である。洗浄速度を向上できる点から、ｐは、５以下であり、好ましくは４以下であり、更に好ましくは３以下であり、より更に好ましくは２．９以下であり、より更に好ましくは２．８以下であり、より更に好ましくは２．５以下である。（ｂ）成分は、洗浄速度を向上できる観点から、一般式（２）中のｐが１以上、３以下の数の陰イオン界面活性剤が好ましい。
【００２５】
一般式（２）中のｑは、ＥＯの平均付加モル数であり、洗浄力の点で０以上、１０以下の数である。洗浄速度をより高める点からｑは、好ましくは０．５以上であり、より好ましくは０．８以上であり、更に好ましくは１以上、より更に好ましくは１．５以上、より更に好ましくは１．８以上、より更に好ましくは２以上の数である。洗浄力の観点から、ｑは、１０以下であり、好ましくは８以下であり、より好ましくは５以下であり、更に好ましくは３以下の数である。なお、ｑが０でない場合、（Ａ1Ｏ）pと（ＥＯ）qは、Ｒ2Ｏに（Ａ1Ｏ）p、（ＥＯ）qの順でブロックに結合している。
【００２６】
また、一般式（２）中のＭは陽イオンである。Ｍの好ましい例は、水素イオン、アルカリ金属イオン、アルカリ土類金属イオン、アンモニウムイオン、及び炭素数１以上、６以下のアルカノールアンモニウムイオンが挙げられる。
【００２７】
アルカリ金属イオンとしては、ナトリウムイオン、カリウムイオン、リチウムイオンが挙げられ、アルカリ土類金属イオンとしては、マグネシウムイオンが挙げられ、炭素数１以上、６以下のアルカノールアンモニウムイオンとしては、モノエタノールアンモニウムイオン、トリエタノールアンモニウムイオンが挙げられる。これらの中では、洗浄力の点で、ナトリウムイオン、カリウムイオンのアルカリ金属イオン又はモノエタノールアンモニウムイオンが好ましく、モノエタノールアンモニウムイオンがより好ましい。
【００２８】
一般式（２）で表される陰イオン界面活性剤の製法は特に限定されない。例えば、炭素数８以上、２２の炭化水素基を有するアルコール、好ましくは炭素数１０以上、１４以下の直鎖１級の脂肪族飽和アルコール１モルに、炭素数３又は炭素数４のアルキレンオキサイド、好ましくはプロピレンオキサイドを０．５モル以上、好ましくは０．８モル以上、より好ましくは１モル以上、更に好ましくは１．０モル以上、より更に好ましくは１．５モル以上、より更に好ましくは１．８モル以上、そして、５モル以下、好ましくは４モル以下、より好ましくは３モル以下、より更に好ましくは３．０モル以下、より更に好ましくは２．８モル以下、より更に好ましくは２．５モル以下の量で付加させた中間化合物（１）を得る。次に中間化合物（１）に対してエチレンオキサイドを０モル以上、好ましくは０．５モル以上、より好ましくは０．８モル以上、より好ましくは１モル以上、更に好ましくは１．５モル以上、より更に好ましくは１．８モル以上、より更に好ましくは２モル以上、そして、１０モル以下、好ましくは８モル以下、より好ましくは５モル以下、更に好ましくは３モル以下の量で付加させて中間化合物（２）を得る。次に中間化合物（２）を硫酸化し、場合によっては中和することで一般式（２）で表される陰イオン界面活性剤を得ることができる。
【００２９】
＜（ｃ）成分＞
本発明の（ａ）成分と（ｂ）成分を特定の比率で配合してなる衣料用液体洗浄剤組成物は、洗浄速度を向上できる点と食べこぼし汚れに液体洗浄剤組成物を直接塗布した時の洗浄力の点で、（ｃ）水酸基を１つ以上有する有機溶剤を更に配合してなる。更に、洗浄速度を向上できる点で、（ｃ）成分は、水酸基及びエーテル基を有する有する有機溶剤が好ましい。
【００３０】
水酸基を１つ以上有する有機溶剤としては、以下の（ｃ１）成分〜（ｃ６）成分で表される１種以上の化合物が用いられる。
（ｃ１）成分：炭素数２以上、６以下の脂肪族炭化水素基を有する１価のアルコール
例えばエタノール、１−プロパノール、２−プロパノール及び１−ブタノールから選ばれる１価のアルコールが挙げられる。
（ｃ２）成分：炭素数２以上、６以下の２価以上、６価以下のアルコール〔（ｃ３）成分を除く〕
例えばエチレングリコール、プロピレングリコール、ブチレングリコール、ヘキシレングリコール（２−メチル−２，４−ペンタンジオール）、１，５−ペンタンジオール、１，６−ヘキサンジオール及びグリセリンから選ばれる２価又は３価のアルコールが挙げられる。
（ｃ３）成分：炭素数２以上、４以下のアルキレングリコール単位を含有するポリアルキレングリコール
例えばジエチレングリコール、トリエチレングリコール、テトラエチレングリコール、ジプロピレングリコール、トリプロピレングリコール、重量平均分子量４００以上、４０００以下のポリエチレングリコール及び重量平均分子量４００以上、４０００以下のポリプロピレングリコールから選ばれるポリアルキレングリコールが挙げられる。
（ｃ４）成分：炭素数２以上、４以下のアルキレングリコール単位と、炭素数１以上、４以下のアルキル基とを有する、（モノ又はポリ）アルキレングリコールのモノアルキルエーテル
例えばジエチレングリコールモノメチルエーテル、トリエチレングリコールモノメチルエーテル、ジエチレングリコールモノエチルエーテル、ジプロピレングリコールモノメチルエーテル、ジプロピレングリコールモノエチルエーテル、トリプロピレングリコールモノメチルエーテル、ジエチレングリコールモノブチルエーテル、１−メトキシ−２−プロパノール及び１−エトキシ−２−プロパノールから選ばれる化合物が挙げられる。
（ｃ５）成分：炭素数１以上、８以下のアルキルを有するアルキルグリセリルエーテル
例えば１−メチルグリセリンエーテル、２−メチルグリセリンエーテル、１，３−ジメチルグリセリンエーテル、１−エチルグリセリンエーテル、１，３−ジエチルグリセリンエーテル、トリエチルグリセリンエーテル、１−ペンチルグリセリルエーテル、２−ペンチルグリセリルエーテル、１−オクチルグリセリルエーテル及び２−エチルヘキシルグリセリルエーテルから選ばれるアルキルグリセリルエーテルが挙げられる。
（ｃ６）成分：炭素数２又は３のアルキレングリコール単位を有する（モノ又はポリ）アルキレングリコールの芳香族アルキルエーテル、
例えば２−フェノキシエタノール、ジエチレングリコールモノフェニルエーテル、トリエチレングリコールモノフェニルエーテル、平均分子量約４８０のポリエチレングリコールモノフェニルエーテル、２−ベンジルオキシエタノール及びジエチレングリコールモノベンジルエーテルから選ばれる化合物
【００３１】
前記（ｃ４）成分、（ｃ６）成分において「（モノ又はポリ）アルキレングリコール」なる用語は、モノアルキレングリコール又はポリアルキレングリコールを意味する。また、「ポリアルキレングリコール」とは、アルキレングリコール単位が２個以上、９個以下の量で含有することを意味する。
【００３２】
（ｃ）成分は、洗浄速度を向上できる点で、上記の（ｃ１）成分〜（ｃ６）成分から選ばれる１種以上を使用することが好ましい。洗浄速度をより高める点で、（ｃ１）成分、（ｃ２）成分、（ｃ４）成分、及び（ｃ６）成分から選ばれる１種以上の化合物を用いることが好ましく、（ｃ２）成分及び（ｃ４）成分から選ばれる１種以上の化合物を用いることがより好ましく、より具体的にはエタノール、プロピレングリコール、ジエチレングリコールモノブチルエーテル、２−フェノキシエタノール、ジエチレングリコールモノフェニルエーテル及びトリエチレングリコールモノフェニルエーテルから選ばれる１種以上の化合物を用いることが好ましい。本発明では、（ｃ）成分として、プロピレングリコール及びジエチレングリコールモノブチルエーテルから選ばれる１種以上の有機溶剤、更にジエチレングリコールモノブチルエーテルを用いることが好ましい。
【００３３】
＜水＞
本発明の衣料用液体洗浄剤組成物は、４℃〜４０℃における状態を液体状態とする為に、水を含有する。水は脱イオン水（イオン交換水とも言う場合もある）や次亜塩素酸ソーダをイオン交換水に対して１ｍｇ／ｋｇ以上、５ｍｇ／ｋｇ以下、添加した水を使用することが出来る。また、水道水も使用できる。
【００３４】
＜衣料用液体洗浄剤組成物＞
本発明の衣料用液体洗浄剤組成物は、（ａ）成分、（ｂ）成分、（ｃ）成分、及び水、並びに任意成分を配合してなる。以下、質量％は、特記しない限り、全配合原料の合計質量を基準とするものである。また、各成分についての配合量は、組成物中の含有量として読み替えることができる。
【００３５】
本発明の衣料用液体洗浄剤組成物は、（ａ）成分の配合量と（ｂ）成分の配合量との質量比が、（ｂ）成分／（ａ）成分で、０．５以上、１０以下である。（ａ）洗浄速度を向上できる点で、（ｂ）成分／（ａ）成分の質量比は０．５以上であり、０．７以上が好ましく、０．９以上がより好ましい。洗浄速度を向上でき、且つ落ちにくい食べこぼし汚れの洗浄性能を維持し、皮脂汚れの洗浄性能が向上できる点で、（ｂ）成分／（ａ）成分の質量比は１．０以上が好ましく、１．１以上がより好ましく、１．２以上が更に好ましく、１．５以上がより更に好ましい。（ｃ）成分の配合量がより少ない配合量でも洗浄速度を維持できる点で、（ｂ）成分／（ａ）成分の質量比は９以下が好ましく、８以下がより好ましく、７以下がより好ましく、６以下が更に好ましく、５以下がより更に好ましい。また、食べこぼし汚れの洗浄力の点で、（ｂ）成分／（ａ）成分の質量比は５以下が好ましく、４以下がより好ましく、３以下が更に好ましく、２．５以下がより更に好ましく、２以下がより更に好ましい。洗浄速度を向上でき、落ちにくい食べこぼし汚れの洗浄性能を有する点で、（ｂ）成分／（ａ）成分の質量比は１．８以下がより更に好ましい。なお（ｂ）成分は、塩ではなく、酸型の化合物、すなわち対イオンを水素イオンと仮定した化合物の質量を（ｂ）成分の質量として質量比や質量％を算出するものとする。
【００３６】
本発明の衣料用液体洗浄剤組成物において、（ａ）成分の配合量と（ｂ）成分の配合量の合計は、一定の使用量に対してより高い洗浄性を得る点、及び当該組成物の１回当たりの使用量を少なくできる点から、１５質量％以上であり、２０質量％以上が好ましく、３０質量％以上がより好ましく、４０質量％以上が更に好ましい。また、洗浄速度を向上できる点で、（ａ）成分の配合量と（ｂ）成分の配合量の合計は、７０質量％以下であり、６５質量％以下が好ましく、６０質量％以下がより好ましい。
【００３７】
（ｃ）成分の配合量は、洗浄速度を向上できる点から、５質量％以上であり、８質量％以上が好ましく、１０質量％以上が好ましく、１３質量％以上がより好ましい。経済性や保存安定性の点から、（ｃ）成分の配合量は、４０質量％以下であり、３５質量％以下が好ましく、２５質量％以下がより好ましい。
【００３８】
また、洗浄速度を向上できる点から、（ａ）成分の配合量と（ｂ）成分の配合量と、（ｃ）成分の配合量との質量比は、（ｃ）成分／〔（ａ）成分＋（ｂ）成分〕で、０．０７以上が好ましく、０．１以上がより好ましく、０．１５以上がより好ましく、０．２以上が更に好ましく、０．２５以上がより更に好ましい。経済性及び保存安定性の点で、該質量比は、３以下が好ましく、２以下がより好ましく、１以下が更に好ましく、０．５以下がより更に好ましい。
【００３９】
また、皮脂汚れの洗浄速度の向上と食べこぼし汚れの洗浄性の向上の観点から、（ｃ）成分の配合量と（ａ）成分の配合量との質量比は、（ａ）成分／（ｃ）成分で、０．５以上、２．５以下であることが好ましい。（ａ）成分／（ｃ）成分の質量比は、経済性の観点から、０．６以上が好ましく、０．８以上がより好ましい。（ａ）成分／（ｃ）成分の質量比は、洗浄速度の向上の観点から、２．４以下が好ましく、２．２以下がより好ましく、２．０以下が更に好ましく、１．８以下がより更に好ましく、１．６以下がより更に好ましく、１．４以下がより更に好ましい。
【００４０】
また、本発明の衣料用液体洗浄剤組成物は、（ａ）成分の配合量、（ｂ）成分の配合量、及び（ｃ）成分の配合量の合計が、４０質量％以上、９０質量％以下であることが好ましい。（ａ）成分の配合量、（ｂ）成分の配合量、及び（ｃ）成分の配合量の合計は、５０質量％以上がより好ましく、５２質量％以上が更に好ましく、５５質量％以上がより更に好ましく、そして、８０質量％以下がより好ましく、７０質量％以下が更に好ましく、６５質量％以下がより更に好ましい。
【００４１】
本発明の組成物を洗浄に使用する水に添加した際に速やかに分散することで、洗浄速度を向上できる。その観点から本発明の組成物中の水の配合割合は、５質量％以上が好ましい。前記（ａ）成分、（ｂ）成分、及び後述の（ｄ）成分を高い濃度で配合できる点から、水の配合割合は３０質量％以下が好ましく、２５質量％以下がより好ましく、２０質量％以下が更に好ましく、１５質量％以下が特に好ましく、１０質量％以下が最も好ましい。
【００４２】
＜任意成分＞
本発明の衣料用液体洗浄剤組成物は、皮脂汚れの洗浄速度を維持しつつ皮脂汚れの洗浄性が向上できる点で更に下記（ｄ）成分を配合しても良い。
（ｄ）成分：下記一般式（３）で表される非イオン界面活性剤
Ｒ3Ｏ−（Ａ2Ｏ）nＨ        （３）
〔式中、Ｒ3は炭素数８以上、２２以下の炭化水素基を示し、Ａ2Ｏは炭素数２以上、５以下のアルキレンオキシ基を示し、ｎは平均付加モル数を示し、１６以上、３５以下の数である。Ａ2Ｏは炭素数２のエチレンオキシ基を平均１６モル以上含む。但し、Ａ2Ｏがすべてエチレンオキシ基の場合は、ｎは１８以上の数である。〕
【００４３】
（ｄ）成分の一般式（３）中、Ｒ3は炭素数８以上、２２以下の炭化水素基であり、皮脂汚れの洗浄力の点から、炭素数１０以上、更に１２以上、更に１４以上が好ましく、そして、１８以下、更に１６以下が好ましい。Ｒ3は原料の入手性の点から直鎖の炭化水素基が好ましい。また、Ｒ3の炭化水素基としては、アルキル基、アルケニル基が好ましく、アルキル基がより好ましい。Ｒ3は、直鎖又は分岐鎖の炭化水素基が好ましく、直鎖の炭化水素基がより好ましい。一般式（３）において、酸素原子に結合するＲ3の炭素原子は第１級の炭素原子が好ましい。
【００４４】
一般式（３）の化合物を得る方法は、特に限定されるものではないが、炭素数８以上、２２以下の炭化水素基を有するアルコールに、炭素数２以上、５以下のアルキレンオキサイドを付加反応することによって得ることができる。なお一般式（３）の化合物では前記アルキレンオキサイドとしてエチレンオキサイドを必ず使用する。
【００４５】
ここで、炭素数２以上、５以下のアルキレンオキサイドの平均付加モル数ｎは、１６以上、３５以下である。ｎが１６以上であれば、（ａ）成分や（ｂ）成分と共に（ｄ）成分が、衣料に付着した皮脂汚れに吸着し、洗浄速度を維持しつつ洗浄性が向上出来る。また、ｎが３５以下であれば、洗浄性能が良好となる。ｎは、１７以上が好ましく、１８以上がより好ましく、１８を超えることが更に好ましい。また３０以下が好ましく、２５以下がより好ましい。また、一般式（３）の化合物は（Ａ2Ｏ）nとして、炭素数２のアルキレンオキシ基であるエチレンオキシ基を平均１４モル以上、好ましくは平均１５モル以上、より好ましくは平均１６モル以上、更に好ましくは１８以上含む。Ａ2Ｏのすべてがエチレンオキシ基であってもよく、その場合のｎは１８以上である。ＥＯ以外のＡ2Ｏはプロピレンオキシ基（オキシプロパン−１，２−ジイル基という場合もある。）であることが好ましい。一般に、ｎは（ｄ）成分製造時のＲ3ＯＨで示されるアルコールに対する炭素数２以上、５以下のアルキレンオキサイドの反応割合であってもよい。なおＡ2Ｏとして炭素数３以上、５以下のアルキレンオキシ基を有する化合物は、すべてがエチレンオキシ基の場合よりも高濃度化に優れ、安定性を保ち易い。
【００４６】
また、皮脂汚れの洗浄性能の向上の観点から、（ｄ）成分はＡ2Ｏとしてプロピレンオキシ基を有することが好ましく、更に（ｄ）成分が下記一般式（３−１）で表される化合物であることが好ましい。
Ｒ3Ｏ−［（Ｃ2Ｈ4Ｏ）n1／（Ａ21Ｏ）n2］−Ｈ      （３−１）
〔式中、Ｒ3は一般式（３）と同じ意味であり、Ａ21Ｏは炭素数３以上、５以下のアルキレンオキシ基である。ｎ１、ｎ２は平均付加モル数であり、ｎ１は１５以上、３０以下の数であり、ｎ２は１以上、５以下の数である。“／”はＣ2Ｈ4Ｏ基及びＡ21Ｏ基が、ランダム又はブロックのいずれに結合したものであってもよいことを示す。またＡ21Ｏは複数のブロック体として分かれていてもよい。〕
【００４７】
一般式（３−１）の化合物は、炭素数８以上、２２以下のアルコールに、エチレンオキサイドと炭素数３以上、５以下のアルキレンオキサイドとを、ランダム又はブロック的に付加反応することによって得ることができる。
【００４８】
また、一般式（３−１）中のｎ１はＥＯであるエチレンオキシ基の平均付加モル数であり、保存安定性、溶解性、及び皮脂汚れの洗浄性能の点から下限値は１５以上、好ましくは１６以上、より好ましくは１８以上であり、上限値は３０以下、好ましくは２７以下、より好ましくは２４以下である。ｎ２は炭素数３以上、５以下のアルキレンオキシ基の平均付加モル数であり、皮脂汚れの洗浄性能の点から下限値は１以上、好ましくは２以上であり、上限値は５以下、好ましくは４以下、より好ましくは３以下である。なお、前記一般式（３）のｎと前記一般式（３−１）のｎ１及びｎ２は、ｎ＝ｎ１＋ｎ２の関係にある。
【００４９】
一般式（３−１）中のＡ21Ｏである炭素数３以上、５以下のアルキレンオキシ基は、炭素数３以上、５以下アルキレンオキサイドを付加反応させることによって得られるものある。炭素数３のアルキレンオキシ基及び／又は炭素数４のアルキレンオキシ基が好ましく、具体的にはトリメチレンオキシ基、オキシプロパン−１，２−ジイル基、オキシブタン−１，２−ジイル基、オキシブタン−１，３−ジイル基、オキシブタン−２，３−ジイル基、オキシテトラメチレン基を挙げることができる。Ａ21Ｏは、オキシプロパン−１，２−ジイル基（以下、本発明ではオキシプロパン−１，２−ジイル基をプロピレンオキシ基又はＰＯ基とする場合もある。）が好ましい。
【００５０】
本発明では、エチレンオキシ基の平均付加モル数ｎ１が１５以上、更に１６以上、更に１８以上、そして、２７以下、更に２４以下、更に２２以下であって、且つＰＯであるプロピレンオキシ基の平均付加モル数ｎ２が１以上、２以上、そして、４以下、更に３以下である化合物を用いることが、低温保存安定性、冷水溶解性、洗浄性能に優れた液体洗浄剤組成物を得られることから、より好ましい。
【００５１】
一般式（３−１）において“／”は、本発明の（ｄ）成分のＣ2Ｈ4Ｏ基であるエチレンオキシ基（以下、ＥＯと表記する場合がある）及びＡ21Ｏ基の関係がランダム結合でもブロック結合でもいずれであってもよいことを意味している。またＡ21Ｏは複数のブロック体として分かれていてもよい。
【００５２】
前記一般式（３−１）のより具体的な構造として下記一般式（３−１−１）〜（３−１−５から選ばれる１種以上の化合物が挙げられる。
Ｒ3Ｏ−（Ａ21Ｏ）n2−（Ｃ2Ｈ4Ｏ）n1−Ｈ                          （３−１−１）
Ｒ3Ｏ−（Ｃ2Ｈ4Ｏ）n1−（Ａ21Ｏ）n2−Ｈ                          （３−１−２）
Ｒ3Ｏ−［（Ｃ2Ｈ4Ｏ）n11・（Ａ21Ｏ）n2］−（Ｃ2Ｈ4Ｏ）n12−Ｈ    （３−１−３）
Ｒ3Ｏ−（Ｃ2Ｈ4Ｏ）n11−［（Ａ21Ｏ）n2・（Ｃ2Ｈ4Ｏ）n12］−Ｈ    （３−１−４）
Ｒ3Ｏ−（Ｃ2Ｈ4Ｏ）n11−（Ａ21Ｏ）n2−（Ｃ2Ｈ4Ｏ）n12−Ｈ        （３−１−５）
〔式中、Ｒ3Ｏ、ｎ１、ｎ２、（Ａ21Ｏ）は前記の意味であり、ｎ１１、ｎ１２は平均付加モル数であって、ｎ１＝ｎ１１＋ｎ１２である。“・”はランダム結合であることを示す。またＡ21Ｏは複数のブロック体として分かれていてもよい。〕
【００５３】
一般式（３−１−１）〜（３−１−５）で示される化合物は、Ｒ3ＯＨに対するアルキレンオキシドの反応割合及び反応順序を考慮することで調製することができる。
【００５４】
一般式（３−１）中のＲ3Ｏ−の酸素原子に結合するＲ3が直鎖の第１級アルキル基であるものは、直鎖の第２級アルキル基である化合物よりも洗浄力に優れる。特にＲ3は直鎖の第１級アルキル基である化合物が好ましい。Ｒ3が直鎖の第１級アルキル基の場合、皮脂汚れの洗浄性の点から、前記一般式（３−１−２）、（３−１−４）及び（３−１−５）から選ばれる１種以上の化合物が好ましく、このなかでも一般式（３−１−５）から選ばれる１種以上の化合物がより好ましい。特に、Ｒ3−Ｏ−に結合するオキシアルキレン基がオキシエチレン基である化合物の割合が、（ｄ）成分を構成している化合物中の７５モル％以上、更に８０モル％以上（上限は１００モル％以下）であることが最も好ましい。このような化合物は、脂肪族アルコールに最初にエチレンオキシドを付加させた後、未反応のアルコールを除去するか、或いは最初にエチレンオキシドを６モル以上、特には８モル以上付加させることで得ることができる。例えば、前記一般式（３−１−２）のｎ１又は前記一般式（３−１−４）もしくは一般式（３−１−５）のｎ１１で示される平均付加モル数が、６モル以上、特には８モル以上の化合物である。
【００５５】
一般式（３−１）の化合物を製造する上で、Ａ21Ｏの元となる炭素数３以上、５以下のアルキレンオキシド、好ましくはプロピレンオキシドの付加反応工程を終えてから、最後にエチレンオキシドだけを６モル以上、特には８モル以上付加させることで得ることができる。例えば、前記一般式（３−１−５）のｎ１２で示される平均付加モル数が６モル以上、特には８モル以上の化合物である。
【００５６】
（ｄ）成分を配合する場合、食べこぼし汚れの洗浄性能が向上できる点で、（ａ）成分の配合量と（ｄ）成分の配合量の合計と、（ｂ）成分の配合量との質量比が、（ｂ）成分／〔（ａ）成分＋（ｄ）成分〕で、０．４以上が好ましく、０．５以上がより好ましく、０．６５以上がより好ましく、０．７５以上が更に好ましい。該質量比は、水への溶解性の点で３以下が好ましく、２．５以下がより好ましく、２以下が更に好ましく、１．５以下がより更に好ましい。
【００５７】
（ｄ）成分を配合する場合、（ｄ）成分の配合量と、（ａ）成分の配合量との質量比が、（ａ）成分／（ｄ）成分で、食べこぼし汚れの洗浄性能の点から０．２以上が好ましく、０．３以上が好ましく、０．４以上がより好ましく、０．５以上がより好ましく、１．０以上がより好ましい。該質量比は、皮脂汚れの洗浄性能の点で３以下が好ましく、２．５以下がより好ましく、２以下が更に好ましく、１．５以下がより更に好ましい。
【００５８】
（ｄ）成分を配合する場合、洗浄速度を向上できる点から、（ａ）成分の配合量と（ｂ）成分の配合量と（ｄ）成分の配合量と、（ｃ）成分の配合量との質量比は、（ｃ）成分／〔（ａ）成分＋（ｂ）成分＋（ｄ）成分〕で、０．０７以上が好ましく、０．１以上がより好ましく、０．１５以上がより好ましい。経済性の点で、該質量比は、３以下が好ましく、２以下がより好ましく、１以下が更に好ましく、０．５以下がより更に好ましい。
【００５９】
本発明の衣料用液体洗浄剤組成物は、（ａ）成分、（ｂ）成分及び（ｄ）成分以外の界面活性剤〔以下、（ｅ）成分という〕を配合しても良い。
【００６０】
（ｅ）成分としては、陰イオン界面活性剤〔以下、（ｅ１）成分という〕が挙げられる。（ｅ１）成分としては、炭素数８以上、２２以下の脂肪族アルキル基を有するアルキルベンゼンスルホン酸、炭素数８以上、２２以下の脂肪酸、アルカンの炭素数が８以上、２０以下であるアルカンスルホン酸、炭素数８以上、２２以下の脂肪族アルキル基を有するアルキル硫酸エステル及びポリオキシアルキレンアルキルエーテル硫酸エステル、及びこれらの塩が挙げられる。好ましい（ｅ１）成分は、炭素数１２以上、１６以下の脂肪族アルキル基を有するアルキルベンゼンスルホン酸、炭素数１２以上、１８以下の脂肪酸、及びこれらの塩である。（ｅ）成分の塩としては、アルカリ金属塩、アルカリ土類金属塩、アンモニウム塩、及び炭素数１以上、６以下のアルカノールアミン塩が挙げられる。塩としては、ナトリウム塩、カリウム塩、モノエタノールアンモニウム塩、及びトリエタノールアンモニウム塩から選ばれる１種以上の塩が好ましい。
【００６１】
また、（ｅ）成分として、陽イオン界面活性剤を配合しても良い。陽イオン界面活性剤としては、アミンで配合し水中のｐＨにより陽イオン界面活性剤となりえる化合物も便宜的に陽イオン界面活性剤と表す。具体的には炭素数１１以上、２２以下の脂肪族アルキル基を有する第３級アミン塩、例えば、アルカノイルアミノプロピル−Ｎ，Ｎ−ジメチルアミン〔アルカノイルは炭素数１１以上、２１以下の脂肪族アルカノイル基を意味する。〕、炭素数８以上、２２以下の脂肪族アルキル基を１つ又は２つ有する第４級アンモニウム型界面活性剤、例えば、Ｎ−アルキル−Ｎ，Ｎ，Ｎ−トリメチルアンモニウムクロリド〔アルキルとは炭素数１０以上、１８以下の脂肪族アルキル基を表す。〕、Ｎ−アルキル−Ｎ，Ｎ，−ジメチル−Ｎ−エチルアンモニウムエチルサルフェート〔アルキルとは炭素数１０以上、１８以下の脂肪族アルキル基を表す。〕、及びＮ，Ｎ−ジアルキル−Ｎ，Ｎ−ジメチルアンモニウムクロリド〔アルキルとは炭素数８以上、１２以下の脂肪族アルキル基を表す。〕から選ばれる１種以上の化合物が好ましい。
【００６２】
また、（ｅ）成分として、両性界面活性剤を配合しても良い。両性界面活性剤としては、例えば、炭素数１０以上、１８以下のアルキル基を有するスルホベタイン又はカルボベタインを挙げることができる。
【００６３】
（ｅ）成分の配合量は、本発明の衣料用液体洗浄剤組成物の全配合原料の合計に対して、好ましくは０．５質量％以上、１５質量％以下、より好ましくは０．５質量％以上、１０質量％以下である。また第４級アンモニウム塩については、対陰イオンを除いた質量を該第４級アンモニウム塩の質量とし、３級アミンについては、窒素原子に結合する基のうち、有機基以外を水素原子に置換した構造の質量を該３級アミンの質量とする。（ｅ）成分として陽イオン界面活性剤を配合する場合は、皮脂汚れの洗浄性能の観点から、５質量％以下が好ましい。５質量％以下の量で配合するとは、配合しないか、または０質量％を超え、５質量％以下の量で配合することを意味する。好ましくは３質量％以下であり、より好ましくは１質量％以下であり、陽イオン界面活性剤を配合しないことがより更に好ましい。
【００６４】
本発明の衣料用液体洗浄剤組成物には、アルカリ剤〔以下、（ｆ）成分という〕を配合することが洗浄力の点から好ましい。アルカリ剤は、アルカリ金属水酸化物、アルカリ金属炭酸塩などの他に、窒素原子に結合する基のうち、１つ以上、３つ以下が炭素数２以上、４以下のアルカノール基であり、残りが炭素数１以上、４以下のアルキル基又は水素原子であるアルカノールアミンを挙げることができる。このうちアルカノール基はヒドロキシアルキル基、更にヒドロキシエチル基であるものが好ましい。アルカノール基以外は水素原子、又はメチル基が好ましく、特に水素原子が好ましい。アルカノールアミンとしては、２−アミノエタノール、Ｎ−メチルエタノールアミン、Ｎ，Ｎ−ジメチルエタノールアミン、Ｎ，Ｎ−ジエチルエタノールアミン、ジエタノールアミン、Ｎ−メチルジエタノールアミン、トリエタノールアミン等のアルカノールアミン類が挙げられる。本発明では、（ｆ）成分として、モノエタノールアミン及びトリエタノールアミンから選ばれるアルカノールアミンが好ましく、モノエタノールアミンがより好ましい。
【００６５】
また、（ｆ）成分であるアルカリ剤は本発明の衣料用液体洗浄剤組成物のｐＨを所定のｐＨに調整する為にも用いることが出来る。
【００６６】
本発明の衣料用液体洗浄剤組成物では、（ｆ）成分を、後出するｐＨになるような量を配合しても良い、具体的には０．０１質量％以上、更に０．５質量％以上、そして、１０質量％以下、更に８質量％以下、配合しても良い。なかでも、（ｆ）成分としてアルカノールアミンを、０．５質量％以上、更に１質量％以上、更に３質量％以上、そして、８質量％以下、更に７質量％以下、更に６質量％以下配合することが好ましい。なお、本発明では、（ｆ）成分のアルカリ剤、中でもアルカノールアミンの配合量には、（ａ）成分や（ｂ）成分の対イオンなど、他の成分に由来して組成物中に配合される分も算入するものとする。
【００６７】
本発明の衣料用液体洗浄剤組成物には、キレート剤〔以下、（ｇ）成分という〕を配合しても良い。（ｇ）成分のキレート剤の具体例として、例えば、エチレンジアミン四酢酸、ジエチレントリアミン五酢酸、ヒドロキシエチルイミノ二酢酸等のアミノポリ酢酸又はこれらの塩、クエン酸、乳酸、酒石酸、リンゴ酸等の有機酸又はこれらの塩、１−ヒドロキシエチリデン−１，１−ジホスホン酸、ジエチレントリアミンペンタ（メチレンホスホン酸）、これらのアルカリ金属または低級アミン塩等が挙げられる。（ｇ）成分の配合量は、酸型とみなした場合に０．１質量％以上、５質量％以下であり、好ましくは０．１質量％以上、４質量％以下、より好ましくは０．１質量％以上、３質量％以下である。
【００６８】
この他に、本発明の衣料用液体洗浄剤組成物には、下記（ｈ１）〜（ｈ６）成分を配合しても良い。
（ｈ１）ポリアクリル酸、ポリマレイン酸、カルボキシメチルセルロースなどの再汚染防止剤及び分散剤を０．０１質量％以上、１０質量％以下
（ｈ２）過酸化水素、過炭酸ナトリウムまたは過硼酸ナトリウム等の漂白剤を０．０１質量％以上、１０質量％以下
（ｈ３）テトラアセチルエチレンジアミン、特開平６−３１６７００号の一般式（Ｉ−２）〜（Ｉ−７）で表される漂白活性化剤等の漂白活性化剤を０．０１質量％以上、１０質量％以下、
（ｈ４）セルラーゼ、アミラーゼ、ペクチナーゼ、プロテアーゼ及びリパーゼから選ばれる１種以上の酵素０．００１質量％以上、２質量％以下。（ｈ４）成分としては、より速い洗浄速度が得られる点でアミラーゼを含む酵素が好ましい。皮脂汚れにが付着した衣料上に、ミートソースなどの食べこぼ汚れが付着した汚れに対して、より高い洗浄性が得られる点でアミラーゼ及びプロテアーゼを含む酵素であることが好ましい。
（ｈ５）蛍光染料、例えばチノパールＣＢＳ（商品名、チバスペシャリティケミカルズ製）やホワイテックスＳＡ（商品名、住友化学社製）として市販されている蛍光染料を０．００１質量％以上、１質量％以下
（ｈ６）ブチルヒドロキシトルエン、ジスチレン化クレゾール、亜硫酸ナトリウム及び亜硫酸水素ナトリウム等の酸化防止剤を０．０１質量％以上、２質量％以下
（ｈ７）色素、香料、抗菌防腐剤、シリコーン等の消泡剤を適量。
【００６９】
本発明の衣料用液体洗浄剤組成物の２０℃のｐＨは、優れた洗浄性能を得る点で、６以上、更に６．５以上、更に７以上が好ましく、そして、１１以下、更に９以下、更に８以下が好ましい。ｐＨは、ＪＩＳ Ｋ３３６２：１９９８の項目８．３に記載の方法で測定し、その際温度は記載の２０℃で測定する。洗浄性能と本発明の衣料用液体洗浄剤組成物の取扱いのし易さの点から、前記の方法で測定したｐＨは、６以上、９以下が好ましく、６．５以上、８以下がより好ましい。
【００７０】
本発明の衣料用液体洗浄剤組成物の２０℃における粘度は、取り扱いの容易さの点で、１０ｍＰａ・ｓ以上、更に５０ｍＰａ・ｓ以上、更に１００ｍＰａ・ｓ以上が好ましく、そして、５００ｍＰａ・ｓ以下、更に４００ｍＰａ・ｓ以下、更に３００ｍＰａ・ｓ以下が好ましい。（ｃ）成分によりこのような範囲になるように調整することが好ましい。本発明において粘度はＢ型粘度計により測定する。ローターは粘度に合ったものを選択する。回転数６０ｒ／ｍｉｎで回転し、回転開始から６０秒後の粘度を液体洗浄剤組成物又は希釈液の粘度とする。粘度の測定温度（液温）は、それぞれの目的に合わせて選定する。
【００７１】
衣料の質量（ｋｇ）と本発明の衣料用液体洗浄剤組成物を含有する洗浄液の容量（Ｌ）との比、即ち〔洗浄液の容量（Ｌ）〕／〔衣料の質量（ｋｇ）〕の比が、３以上、２０以下、更に３以上、１５以下のように小さくても、洗浄速度を向上できる点で、本発明の衣料用液体洗浄剤組成物の２０℃における粘度は、５００ｍＰａ・ｓ以下が好ましく、４００ｍＰａ・ｓ以下がより好ましい。
【００７２】
本発明により、下記（ａ）成分、（ｂ）成分、（ｃ）成分、及び水を混合する衣料用液体洗浄剤組成物の製造方法であって、（ａ）成分と（ｂ）成分とを、（ａ）成分の配合量と（ｂ）成分配合量の合計の配合量が１５質量％以上、７０質量％以下、且つ（ｂ）成分／（ａ）成分＝０．５以上、１０以下の質量比で用いる、衣料用液体洗浄剤組成物の製造方法が提供される。衣料用液体洗浄剤組成物で述べた事項のうち、適用可能なものは、この製造方法において適宜適用できる。前記衣料用液体洗浄剤組成物の製造の際には、更に（ｄ）成分を混合しても良い。
（ａ）成分：下記一般式（１）で表される非イオン界面活性剤
Ｒ1Ｏ−（ＥＯ）mＨ            （１）
〔式中、Ｒ1は炭素数８以上、１８以下の炭化水素基を示し、ＥＯはエキレンオキシ基を示し、ｍは平均付加モル数を示し、ｍは１以上、１０以下の数である。〕
（ｂ）成分：下記一般式（２）で表される陰イオン界面活性剤
Ｒ2Ｏ−（Ａ1Ｏ）p−（ＥＯ）q−ＳＯ3Ｍ        （２）
〔式中、Ｒ2は炭素数８以上、２２以下の炭化水素基を示し、Ａ1Ｏは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。Ｍは陽イオンである。〕
（ｃ）水酸基を１つ以上有する有機溶剤  ５質量％以上、４０質量％以下（質量％は、全配合原料の合計に対する質量％である。）
【００７３】
〔衣料の洗浄方法〕
本発明は、水と、本発明の衣料用液体洗浄剤組成物０．０１質量％以上、０．１質量％以下とを含有する、温度が０℃以上、３５℃以下の洗浄液で、衣料の質量と前記洗浄液の量（リットル）の比で表される浴比が、洗浄液の量（リットル）／衣料の質量（ｋｇ）＝３以上、５０以下の条件で、衣料を１分間以上、７分間以下洗浄する、衣料の洗浄方法を提供する。
【００７４】
洗浄液は、本発明の衣料用液体洗浄剤組成物を０．０１質量％以上、更に０．０２質量％以上、そして、０．２質量％以下、更に０．１質量％以下を含有することが好ましい。また、洗浄液は（ａ）成分と（ｂ）成分とを合計で０．００６質量％以上、更に０．０１質量％以上、そして、０．０８質量％以下、更に０．０７質量％以下を含有することが好ましい。
【００７５】
洗浄液を調製する水としては、如何なる水でも良い。例えば、水道水、イオン交換水、井戸水、河川水等が挙げられる。また、洗浄に適した水の硬度としては、ドイツ硬度で１°ＤＨ以上、１０°ＤＨ以下が挙げられる。
【００７６】
洗浄液の温度は、洗浄速度の向上の点で０℃以上が好ましく、３℃以上がより好ましく、５℃以上が更に好ましい。衣料を構成する繊維自身に含まれる油剤を落としすぎず、繊維の風合いを維持する点で、３５℃以下が好ましく、３０℃以下がより好ましく、１５℃以下が更に好ましく、１０℃以下が更に好ましい。また、冬季での洗浄において、洗浄液の温度が０℃を超え１０℃以下、更には３℃を超え８℃以下の低い温度で衣料を洗浄しても、皮脂汚れの洗浄速度が速く且つ食べこぼし汚れの洗浄力に優れた洗浄方法を実施できる。
【００７７】
近年、洗濯機が大型化し、衣料の質量と洗浄液の水量（リットル）の比で表される浴比の値、すなわち洗浄液の水量（リットル）／衣料の質量（ｋｇ）（以下、この比を浴比とする場合もある）の値が小さくなる傾向にある。浴比が小さくなると、家庭用洗濯機を用いた場合には、攪拌による機械力が衣料に伝わりにくくなり、洗浄力が低下すると言われている。本発明の衣料の洗浄方法は、浴比が小さい洗浄条件下でも、洗浄速度を向上できる。洗浄力の点で、浴比は、４以上、更に５以上が好ましい。また、洗浄速度の向上の効果をより得られる点で、浴比は、４５以下、更に４０以下、更に３０以下、更に２０以下が好ましく、１５以下がより更に好ましい。
【００７８】
「洗浄速度の向上の効果がより得られる」とは、下記の実施例で示す「（１−２）洗浄速度の評価」に記載の「５分／１０分洗浄相対値（１）（洗浄速度）」又は「（２−２）洗浄速度の評価（２）」に記載の「５分／１０分洗浄相対値（２）」の値が、より１に近いことを意味する。
【００７９】
本発明の衣料の洗浄方法は、洗浄時間が短くても十分な洗浄力が得られる。洗浄力の点で洗浄時間は１分以上であり、２分以上が好ましく、３分以上がより好ましい。洗浄速度の向上の効果がより得られる点で、７分以下であり、５分以下が好ましい。
【００８０】
本発明の衣料の洗浄方法は、繊維の精練方法のように、ローラー等で繊維を送りながら、精錬に使用する液に浸漬する方法よりも、消費者の用途に合わせて繊維を構成した衣料の様に、均一に機械力がかからないような対象物に対して、本発明の効果が得られる。また、回転式洗浄方法において本発明の洗浄方法は適している。回転式洗浄方法とは、回転機器に固定されていない衣料が洗浄液と共に、回転軸の周りに回転する洗浄方法を意味する。回転式洗浄方法は回転式洗濯機により実施できる。従って、本発明では、衣料の洗浄を、回転式洗濯機を用いて行うことが好ましい。回転式の洗濯機としては、具体的には、ドラム式全自動洗濯機、パルセータ式全自動洗濯機又はアジテータ式全自動洗濯機が挙げられる。これらの回転式洗濯機は、それぞれ、家庭用として市販されているものと使用することができる。
【００８１】
洗浄速度の向上と食べこぼし汚れの洗浄力をより実感できる点で、本発明の好ましい衣料の洗浄方法は、回転式洗濯機を用いる回転式洗浄方法であり、回転式洗濯機の中で、洗浄に使用する水と衣料と本発明の衣料用液体洗浄剤組成物を撹拌する洗浄方法である。回転式洗濯機は、好ましくはドラム式全自動洗濯機、パルセータ式全自動洗濯機又はアジテータ式全自動洗濯機であり、パルセータ式全自動洗濯機又はアジテータ式全自動洗濯機がより好ましく、パルセータ式全自動洗濯機が更に好ましい。この方法において、衣料の質量（ｋｇ）と、洗浄に使用する水と洗浄剤組成物が混合した洗浄液の容量（リットル）の比で表される浴比の値が、衣料の質量（ｋｇ）／洗浄液の容量（リットル）で、５以上が好ましく、１０以上がより好ましく、更には２０以下が好ましく、１５以下がより好ましい洗浄方法であり、洗浄液の温度が０℃を超え、好ましくは３℃を超え、更には１５℃以下が好ましく、１０℃以下がより好ましい洗浄方法であり、洗浄に使用する水と衣料と洗浄剤組成物が撹拌を開始して、洗濯機から洗浄液を排出を始めるまでの時間が、１分以上が好ましく、２分以上がより好ましく、３分以上がより好ましく、更には７分以下が好ましく、６分以下がより好ましく、５分以下がより更に好ましい洗浄方法である。
【００８２】
従って、本発明の衣料の洗浄方法として、水と、上記本発明の衣料用液体洗浄剤組成物０．０１質量％以上、０．１質量％以下とを含有する、温度が０℃を超え、好ましくは３℃を超え、１５℃以下、好ましくは１０℃以下の洗浄液で、衣料の質量と前記洗浄液の量（リットル）の比で表される浴比が、洗浄液の量（リットル）／衣料の質量（ｋｇ）＝５以上、好ましくは１０以上、２０以下、好ましくは１５以下の条件で、衣料を１分間以上、好ましくは２分間以上、より好ましくは３分間以上、７分間以下、好ましくは６分間以下、より好ましくは５分間以下、回転式洗濯機、好ましくはドラム式全自動洗濯機、パルセータ式全自動洗濯機又はアジテータ式全自動洗濯機、より好ましくはパルセータ式全自動洗濯機又はアジテータ式全自動洗濯機、より更に好ましくはパルセータ式全自動洗濯機で洗浄する、衣料の洗浄方法が挙げられる。これらの回転式洗濯機は、それぞれ、家庭用として市販されているものと使用することができる。
【００８３】
上述した実施形態に関し、本発明はさらに以下の衣料用液体洗浄剤組成物及び衣料の洗浄方法を開示する。
【００８４】
＜１＞
下記（ａ）成分、（ｂ）成分、（ｃ）成分及び水を配合してなり、（ａ）成分の配合量と（ｂ）成分配合量の合計の配合量が１５質量％以上、７０質量％以下であり、（ａ）成分の配合量と（ｂ）成分の配合量との質量比が、（ｂ）成分／（ａ）成分で、０．５以上、１０以下である、衣料用液体洗浄剤組成物。
（ａ）成分：下記一般式（１）で表される非イオン界面活性剤
Ｒ1Ｏ−（ＥＯ）mＨ            （１）
〔式中、Ｒ1は炭素数８以上、好ましくは１０以上、より好ましくは１１以上、１８以下、好ましくは１６以下、より好ましくは１４以下の炭化水素基を示し、ＥＯはエキレンオキシ基を示し、ｍは平均付加モル数を示し、ｍは１以上、好ましくは２以上、より好ましくは２．５以上、更に好ましくは３以上、１０以下、好ましくは９以下、より好ましくは８以下の数である。〕
（ｂ）成分：下記一般式（２）で表される陰イオン界面活性剤
Ｒ2Ｏ−（Ａ1Ｏ）p−（ＥＯ）q−ＳＯ3Ｍ        （２）
〔式中、Ｒ2は炭素数８以上、好ましくは１０以上、より好ましくは１２以上、２２以下、好ましくは１６以下、より好ましくは１４以下の炭化水素基を示し、Ａ1Ｏは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。Ｍは陽イオンである。〕
（ｃ）水酸基を１つ以上有する有機溶剤  ５質量％以上、好ましくは１０質量％以上、より好ましくは１３質量％以上、４０質量％以下、好ましくは３５質量％以下、より好ましくは２５質量％以下（質量％は、全配合原料の合計に対する質量％である。）。
【００８５】
＜２＞
（ｂ）成分が、前記一般式（２）中のｐが好ましくは０．８以上であり、より好ましくは１以上であり、更に好ましくは１．１以上であり、より更に好ましくは１．２以上であり、より更に好ましくは１．３以上であり、より更に好ましくは１．４以上であり、より更に好ましくは１．５以上であり、より更に好ましくは１．８以上であり、好ましくは４以下であり、更に好ましくは３以下であり、より更に好ましくは２．９以下であり、より更に好ましくは２．８以下であり、より更に好ましくは２．５以下の数の陰イオン界面活性剤である、請求項１記載の衣料用液体洗浄剤組成物。
【００８６】
＜３＞
（ａ）成分の配合量と（ｂ）成分の配合量の合計が、全配合原料の合計質量に対して、好ましくは２０質量％以上であり、より好ましくは３０質量％以上であり、更に好ましくは４０質量％以上であり、好ましくは７０質量％以下であり、より好ましくは６５質量％以下であり、更に好ましくは６０質量％以下である、＜１＞又は＜２＞に記載の衣料用液体洗浄剤組成物。
【００８７】
＜４＞
２０℃におけるｐＨが、好ましくは６以上であり、より好ましくは６．５以上であり、更に好ましくは７以上であり、好ましくは１１以下であり、より好ましくは９以下であり、更に好ましくは８以下である、＜１＞〜＜３＞の何れかに記載の衣料用液体洗浄剤組成物。
【００８８】
＜５＞
（ａ）成分の配合量と（ｂ）成分の配合量との質量比が、（ｂ）成分／（ａ）成分で、好ましくは０．７以上であり、より好ましくは０．９以上であり、更に好ましくは１．０以上であり、より更に好ましくは１．１以上であり、より更に好ましくは１．２以上であり、より更に好ましくは１．５以上であり、好ましくは９以下であり、より好ましくは８以下であり、更に好ましくは７以下であり、より更に好ましくは６以下であり、より更に好ましくは５以下であり、より更に好ましくは４以下であり、より更に好ましくは３以下であり、より更に好ましくは２．５以下であり、より更に好ましくは２以下であり、より更に好ましくは１．８以下である、＜１＞〜＜４＞の何れかに記載の衣料用液体洗浄剤組成物。
【００８９】
＜６＞
（ａ）成分の配合量と（ｃ）成分の配合量との質量比が、（ａ）成分／（ｃ）成分で、好ましくは０．５以上であり、より好ましくは０．６以上であり、更に好ましくは０．８以上であり、好ましくは２．５以下であり、より好ましくは２．４以下であり、更に好ましくは２．２以下であり、より更に好ましくは２．０以下であり、より更に好ましくは１．８以下であり、より更に好ましくは１．６以下であり、より更に好ましくは１．４以下である、＜１＞〜＜５＞の何れかに記載の衣料用液体洗浄剤組成物。
【００９０】
＜７＞
（ａ）成分中、前記一般式（１）中のＲ1が分岐鎖の第１級の炭化水素基である非イオン界面活性剤及び前記一般式（１）中のＲ1が直鎖の第２級の炭化水素基である非イオン界面活性剤から選ばれる非イオン界面活性剤（ａ１）の割合が、好ましくは５０質量％以上であり、より更に好ましくは７０質量％以上であり、より更に好ましくは９０質量％以上である、＜１＞〜＜６＞の何れかに記載の衣料用液体洗浄剤組成物。
【００９１】
＜８＞
（ａ）成分として、前記一般式（１）中のＲ1が分岐鎖の第１級の炭化水素基である非イオン界面活性剤及び前記一般式（１）中のＲ1が直鎖の第２級の炭化水素基である非イオン界面活性剤から選ばれる非イオン界面活性剤（ａ１）〔以下、（ａ１）成分という〕と、前記一般式（１）中のＲ1が直鎖の第１級の炭化水素基である非イオン界面活性剤（ａ２）〔以下、（ａ２）成分という〕とを配合してなる、＜１＞〜＜７＞の何れかに記載の衣料用液体洗浄剤組成物。
【００９２】
＜９＞
（ａ）成分が前記（ａ１）成分と前記（ａ２）成分とを含み、（ａ１）成分と（ａ２）成分の配合比率が、（ａ１）成分／（ａ２）成分の質量比で、好ましくは０．５以上、より好ましくは０．７以上、更に好ましくは０．９以上、より更に好ましくは１．０以上であり、好ましくは７以下、より好ましくは５以下、更に好ましくは４以下、より更に好ましくは３以下、より更に好ましくは２以下である、＜８＞記載の衣料用液体洗浄剤組成物。
【００９３】
＜１０＞
（ａ）成分中、（ａ１）成分と（ａ２）成分の合計の割合が、好ましくは５０質量％以上であり、より好ましくは７０質量％以上であり、更に好ましくは９０質量％以上である、＜８＞又は＜９＞の何れかに記載の衣料用液体洗浄剤組成物。
【００９４】
＜１１＞
前記（ａ１）成分が一般式（１）中のＲ1が直鎖の第２級の炭化水素基である非イオン界面活性剤である＜８＞〜＜１１＞のいずれかに記載の衣料用液体洗浄剤組成物。
【００９５】
＜１２＞
前記（ｃ）成分が下記（ｃ２）及び（ｃ４）から選ばれる１種以上である＜１＞〜＜１１＞のいずれかに記載の衣料用液体洗浄剤組成物。
（ｃ２）成分：炭素数２以上、６以下の２価以上、６価以下のアルコール（炭素数２以上、４以下のアルキレングリコール単位を含有するポリアルキレングリコールを除く）
（ｃ４）成分：炭素数２以上、４以下のアルキレングリコール単位と、炭素数１以上、４以下のアルキル基とを有する、（モノ又はポリ）アルキレングリコールのモノアルキルエーテル
【００９６】
＜１３＞
前記（ｃ２）及び（ｃ４）がそれぞれ下記の化合物から選ばれる１種以上である＜１２＞に記載の衣料用液体洗浄剤組成物。
（ｃ２）エチレングリコール、プロピレングリコール、ブチレングリコール、ヘキシレングリコール、１，５−ペンタンジオール、１，６−ヘキサンジオール及びグリセリン
（ｃ４）
ジエチレングリコールモノメチルエーテル、トリエチレングリコールモノメチルエーテル、ジエチレングリコールモノエチルエーテル、ジプロピレングリコールモノメチルエーテル、ジプロピレングリコールモノエチルエーテル、トリプロピレングリコールモノメチルエーテル、ジエチレングリコールモノブチルエーテル、１−メトキシ−２−プロパノール及び１−エトキシ−２−プロパノール
【００９７】
＜１４＞
更に下記（ｄ）成分を配合してなり、（ａ）成分の配合量と（ｄ）成分の配合量の合計と、（ｂ）成分の配合量との質量比が、（ｂ）成分／〔（ａ）成分＋（ｄ）成分〕で０．４以上、３以下である、＜１＞〜＜１３＞の何れかに記載の衣料用液体洗浄剤組成物。
（ｄ）成分：下記一般式（３）で表される非イオン界面活性剤
Ｒ3Ｏ−（Ａ2Ｏ）nＨ        （３）
〔式中、Ｒ3は炭素数８以上、２２以下の炭化水素基を示し、Ａ2Ｏは炭素数２以上、５以下のアルキレンオキシ基を示し、ｎは平均付加モル数を示し、１６以上、３５以下の数である。Ａ2Ｏは炭素数２のエチレンオキシ基を平均１６モル以上含む。但し、Ａ2Ｏがすべてエチレンオキシ基の場合は、ｎは１８以上の数である。〕
【００９８】
＜１５＞
（ｄ）成分が下記一般式（３−１）で表される化合物である、＜１４＞に記載の衣料用液体洗浄剤組成物。
Ｒ3Ｏ−［（Ｃ2Ｈ4Ｏ）n1／（Ａ21Ｏ）n2］−Ｈ      （３−１）
〔式中、Ｒ3は炭素数８以上、２２以下の炭化水素基であり、Ａ21Ｏは炭素数３以上、５以下のアルキレンオキシ基である。ｎ１、ｎ２は平均付加モル数であり、ｎ１は１５以上、３０以下の数であり、ｎ２は１以上、５以下の数であり、ｎ１とｎ２の合計の数は１６以上、３５以下の数である。“／”はＣ2Ｈ4Ｏ基及びＡ21Ｏ基が、ランダム又はブロックのいずれに結合したものであってもよいことを示す。またＡ21Ｏは複数のブロック体として分かれていてもよい。〕
【００９９】
＜１６＞
（ｄ）成分が、前記一般式（３−１）中のＲ3が、好ましくは炭素数１０以上であり、より好ましくは１２以上であり、更に好ましくは１４以上であり、好ましく炭素数１８以下であり、より好ましくは１６以下であり、Ａ21Ｏが、炭素数３のアルキレンオキシ基及び炭素数４のアルキレンオキシ基から選ばれるアルキレンオキシ基であり、より好ましくは炭素数３のアルキレンオキシ共重合体であり、ｎ１が好ましくは１６以上、より好ましくは１８以上であり、好ましくは２７以下、より好ましくは２４以下の数であり、ｎ２が好ましくは２以上であり、好ましくは４以下、より好ましくは３以下の数であり、ｎ１とｎ２の合計が、好ましくは１７以上であり、より好ましくは１８以上であり、更に好ましくは１８を超え、好ましくは３０以下であり、より好ましくは２５以下であり、Ｃ2Ｈ4Ｏ基及びＡ21Ｏ基が、好ましくはブロックで結合している化合物である、＜１４＞又は＜１５＞の何れかに記載の衣料用液体洗浄剤組成物。
【０１００】
＜１７＞
（ｄ）成分が下記一般式（３−１−１）〜（３−１−５）から選ばれる１種以上の化合物である、＜１４＞〜＜１６＞の何れかに記載の衣料用液体洗浄剤組成物。
Ｒ3Ｏ−（Ａ21Ｏ）n2−（Ｃ2Ｈ4Ｏ）n1−Ｈ                          （３−１−１）
Ｒ3Ｏ−（Ｃ2Ｈ4Ｏ）n1−（Ａ21Ｏ）n2−Ｈ                          （３−１−２）
Ｒ3Ｏ−［（Ｃ2Ｈ4Ｏ）n11・（Ａ21Ｏ）n2］−（Ｃ2Ｈ4Ｏ）n12−Ｈ    （３−１−３）
Ｒ3Ｏ−（Ｃ2Ｈ4Ｏ）n11−［（Ａ21Ｏ）n2・（Ｃ2Ｈ4Ｏ）n12］−Ｈ    （３−１−４）
Ｒ3Ｏ−（Ｃ2Ｈ4Ｏ）n11−（Ａ21Ｏ）n2−（Ｃ2Ｈ4Ｏ）n12Ｈ          （３−１−５）
〔式中、Ｒ3は炭素数８以上、２２以下の炭化水素基であり、好ましくは直鎖の第１級アルキル基であり、Ａ21Ｏは炭素数３以上、５以下のアルキレンオキシ基である。ｎ１、ｎ２は平均付加モル数であり、ｎ１は１５以上、３０以下の数であり、ｎ２は１以上、５以下の数であり、ｎ１とｎ２の合計の数は１６以上、３５以下の数である。ｎ１１、ｎ１２は平均付加モル数であって、ｎ１＝ｎ１１＋ｎ１２である。“・”はランダム結合であることを示す。またＡ21Ｏは複数のブロック体として分かれていてもよい〕
【０１０１】
＜１８＞
（ｄ）成分が、好ましくは前記一般式（３−１−２）、（３−１−４）及び（３−１−５）から選ばれる１種以上の化合物であり、より好ましくは前記一般式（３−１−５）から選ばれる１種以上の化合物である＜１７＞に記載の衣料用液体洗浄剤組成物。
【０１０２】
＜１９＞
（ｄ）成分の配合量と、（ａ）成分の配合量との質量比が、（ａ）成分／（ｄ）成分で、好ましくは０．２以上であり、より好ましくは０．３以上であり、更に好ましくは０．４以上であり、より更に好ましくは０．５以上であり、より更に好ましくは１．０以上であり、好ましくは３以下であり、より好ましくは２．５以下であり、更に好ましくは２以下であり、より更に好ましくは１．５以下である、＜１４＞〜＜１８＞の何れかに記載の衣料用液体洗浄剤組成物。
【０１０３】
＜２０＞
（ａ）成分の配合量と（ｄ）成分の配合量の合計と、（ｂ）成分の配合量との質量比が、（ｂ）成分／〔（ａ）成分＋（ｄ）成分〕で、好ましくは０．４以上であり、より好ましくは０．５以上であり、更に好ましくは０．６５以上であり、より更に好ましくは０．７５以上であり、好ましくは３以下であり、より好ましくは２．５以下であり、更に好ましくは２以下であり、より更に好ましくは１．５以下である、＜１４＞〜＜１９＞の何れかに記載の衣料用液体洗浄剤組成物。
【０１０４】
＜２１＞
セルラーゼ、アミラーゼ、ペクチナーゼ、プロテアーゼ及びリパーゼから選ばれる１種以上の酵素、好ましくはアミラーゼ及びプロテアーゼから選ばれる１種以上の酵素を０．００１質量％以上、好ましくは０．０１質量％以上、より好ましくは０．１質量％以上、更に好ましくは０．３質量％以上、２質量％以下、好ましくは１質量％以下の量で配合する、＜１＞〜＜２０＞の何れかに記載の衣料用液体洗浄剤組成物。
【０１０５】
＜２２＞
陽イオン界面活性剤の配合量が、好ましくは５質量％以下であり、より好ましくは４質量％以下であり、より更に好ましくは３質量％以下であり、より更に好ましくは２質量％以下であり、より更に好ましくは１．５質量％以下であり、より更に好ましくは１．０質量％以下であり、より更に好ましくは０．５質量％以下であり、より更に好ましくは陽イオン界面活性剤を配合しない、＜１＞〜＜２１＞の何れかに記載の衣料用液体洗浄剤組成物。
【０１０６】
＜２３＞
水と、＜１＞〜＜２２＞の何れかに記載の衣料用液体洗浄剤組成物０．０１質量％以上、好ましくは０．０２質量％以上、０．２質量％以下、好ましくは０．１質量％以下を含有する、温度が０℃以上、好ましくは０℃を超え、より好ましくは３℃以上、３５℃以下、好ましくは３０℃以下、より好ましくは１５℃以下、好ましくは１０℃以下の洗浄液で、衣料の質量と前記洗浄液の量（リットル）の比で表される浴比が、洗浄液の量（リットル）／衣料の質量（ｋｇ）＝３以上、好ましくは４以上、より好ましくは５以上、５０以下、好ましくは４０以下、より好ましくは３０以下、更に好ましくは２０以下、より更に好ましくは１５以下の条件で、衣料を１分間以上、好ましくは２分間以上、より好ましくは３分間以上、７分間以下、好ましくは５分間以下洗浄する、衣料の洗浄方法。
【０１０７】
＜２４＞
衣料の洗浄を、回転式洗濯機を用いて行う、＜２３＞に記載の衣料の洗浄方法。
【０１０８】
＜２５＞
回転式洗濯機が、ドラム式全自動洗濯機、パルセータ式全自動洗濯機又はアジテータ式全自動洗濯機であり、好ましくはパルセータ式全自動洗濯機又はアジテータ式全自動洗濯機であり、より好ましくはパルセータ式全自動洗濯機である、＜２４＞記載の衣料の洗浄方法。
【実施例】
【０１０９】
本発明の効果を実証する為にターゴトメーター（Ueshima, MS-8212）を洗浄機器として使用した。ターゴトメーター（Ueshima, MS-8212）は、回転式の洗浄を行う機器であり、家庭用の全自動洗濯機ドラム式全自動洗濯機、家庭用のパルセータ式全自動洗濯機又は家庭用のアジテータ式全自動洗濯機のモデル洗浄機器として一般的に使用されている。とりわけ、家庭用のパルセータ式全自動洗濯機又は家庭用のアジテータ式全自動洗濯機に相当するモデル洗浄機器である。
【０１１０】
＜実施例１〜９、比較例１〜５＞
表１に示す各成分を混合して、実施例及び比較例の組成物を得た。
３００ｍｌのガラス製ビーカーに、直径６０ｍｍのスターラーピース（テフロン（登録商標）製）を入れ、出来上がり質量が２００ｇ、且つ表１に記載の配合量になるように（ａ）成分、（ｂ）成分又は（ｂ’）成分、（ｃ）成分及び必要量の９５質量％の水（次亜塩素酸ナトリウムを３ｍｇ／ｋｇ含有する水）を投入した。投入後、１００回転／分の回転数で２０分攪拌した。その後、必要に応じて（ｄ）成分、（ｅ）成分を投入し、（ｆ）成分で組成物のｐＨを表１に記載のｐＨに調整し、残分の水を用いて最終出来上がり質量（２００ｇ）になるように調整し、表１の衣料用液体洗浄剤組成物を得た。なお、実施例９では、以下のその他の成分を前記の（ｄ）成分の添加時期に添加した。ｐＨは、ＪＩＳ Ｋ３３６２：１９９８の項目８．３に記載の方法で測定した（測定時の組成物の温度は２０℃）。表１に記載のｐＨは最終出来上がりの組成物のｐＨを再度測定した値を示す。得られた各組成物を用い、下記の各評価を行った。結果を表１に示す。表中の成分は以下のものである。
【０１１１】
（ａ）成分
（ａ−１）：炭素数１２〜１４の２級アルコールにエチレンオキサイドを平均７モル付加させた化合物〔ソフタノール７０（商品名）、株式会社日本触媒製、一般式（１）においてＲ1が炭素数１２〜１４の２級アルキル基であり、ｍが７の化合物。〕
（ａ−２）：炭素数１２の直鎖１級アルコールにエチレンオキサイドを平均４モル付加させた化合物〔一般式（１）においてＲ1が炭素数１２の直鎖１級アルキル基であり、ｍが４の化合物。〕
（ａ−３）：炭素数１２の直鎖１級アルコールにエチレンオキサイドを平均６モル付加させた化合物〔一般式（１）においてＲ1が炭素数１２の直鎖１級アルキル基であり、ｍが６の化合物。〕
【０１１２】
（ｂ）成分
（ｂ−１）：下記製造法（ｂ１）により製造された陰イオン界面活性剤〔表中の配合量は（ｂ）成分相当の酸型の配合量であり、対塩のモノエタノールアミン（この製造法で用いた全量）は（ｆ）成分に合計した。〕
＜製造法（ｂ１）＞
炭素数１２の直鎖１級アルコール〔花王株式会社製、商品名：カルコール２０９８〕２３４０ｇ及びＫＯＨ３．５ｇを攪拌装置、温度制御装置、自動導入装置を備えたオートクレーブに仕込み、１１０℃、１．３ｋＰａにて３０分間脱水を行った。脱水後窒素置換を行い、１２０℃まで昇温した後、プロパン−１，２−ジイルオキサイド（以下「ＰＯ」という）１４６０ｇを仕込んだ。１２０℃にて付加反応・熟成を行った後、８０℃まで冷却し、４．０ｋＰａで未反応のＰＯを除去した後、酢酸３．８ｇをオートクレーブ内に加え、８０℃で３０分間攪拌した後、抜き出しを行い、ＰＯの平均付加モル数が２．０であるアルコキシレートを得た。
得られたアルコキシレートを、ＳＯ3ガスを用いて下降薄膜式反応器により硫酸化した。得られた硫酸化物をモノエタノールアミンにて中和し、ポリオキシプロピレンアルキルエーテル硫酸エステル塩〔（ｂ−１）〕を含む組成物を得た。
得られた（ｂ−１）は一般式（２）において、Ｒ2が炭素数１２の直鎖１級アルキル基であり、Ａ2Ｏがプロピレンオキシ基、Ｍがモノエタノールアンモニウムであり、ｐが平均２．０、ｑが０の化合物である。また、ガスクロマトグラフ分析及びＮＭＲ分析の結果、得られた組成物には、一般式（２）で示される化合物が９８質量％含まれていた。
【０１１３】
（ｂ−２）：下記製造法（ｂ２）により製造された陰イオン界面活性剤〔表中の配合量は（ｂ）成分相当の酸型の配合量であり、対塩のモノエタノールアミン（この製造法で用いた全量）は（ｆ）成分に合計した。〕
＜製造法（ｂ２）＞
炭素数１２の直鎖１級アルコール〔花王株式会社製、商品名：カルコール２０９８〕２３４０ｇ及びＫＯＨ３．５ｇを攪拌装置、温度制御装置、自動導入装置を備えたオートクレーブに仕込み、１１０℃、１．３ｋＰａにて３０分間脱水を行った。脱水後窒素置換を行い、１２０℃まで昇温した後、ＰＯ２１９０ｇを仕込んだ。１２０℃にて付加反応・熟成を行った後、８０℃まで冷却し、４．０ｋＰａで未反応のＰＯを除去した後、酢酸３．８ｇをオートクレーブ内に加え、８０℃で３０分間攪拌した後、抜き出しを行い、ＰＯの平均付加モル数が３．０であるアルコキシレートを得た。
得られたアルコキシレートを製造法（ｂ１）と同様に硫酸化した後、ポリオキシプロピレンアルキルエーテル硫酸エステル塩〔（ｂ−２）〕を含む組成物を得た。
得られた（ｂ−２）は一般式（２）において、Ｒ2が炭素数１２の直鎖１級アルキル基であり、Ａ2Ｏがプロピレンオキシ基、Ｍがモノエタノールアンモニウムであり、ｐが平均３．０、ｑが０の化合物である。また、ガスクロマトグラフ分析及びＮＭＲ分析の結果、得られた組成物には、一般式（２）で示される化合物が９８質量％含まれていた。
【０１１４】
（ｂ−３）：下記製造法（ｂ３）により製造された陰イオン界面活性剤〔表中の配合量は（ｂ）成分相当の酸型の配合量であり、対塩のモノエタノールアミン（この製造法で用いた全量）は（ｆ）成分に合計した。〕
＜製造法（ｂ３）＞
製造法（ｂ１）と同様にして炭素数１２の直鎖１級アルコール（商品名：カルコール２０９８）の脱水を行った。脱水後窒素置換を行い、１２０℃まで昇温した後、ＰＯを７３０ｇ仕込んだ。１２０℃にて付加反応・熟成を行った後、１４５℃に昇温し、エチレンオキサイド（以下「ＥＯ」という）を１１０７ｇ仕込んだ。１４５℃にて付加反応・熟成を行った後、８０℃まで冷却し、４．０ｋＰａで未反応のＥＯを除去した。未反応ＥＯ除去後、３．８ｇの酢酸をオートクレーブ内に加え、８０℃で３０分間攪拌した後、抜き出しを行い、平均ＰＯ付加モル数ｐが１．０、平均ＥＯ付加モル数ｑが２．０であるアルコキシレートを得た。
得られたアルコキシレートを製造法（ｂ１）と同様に硫酸化した後、中和し、アルキルエーテル硫酸エステル塩〔（ｂ−３）〕を含む組成物を得た。
ガスクロマトグラフ分析及びＮＭＲ分析の結果、得られた（ｂ−３）は一般式（２）において、Ｒ2が炭素数１２の直鎖１級アルキル基であり、Ａ2Ｏがプロピレンオキシ基、Ｍがモノエタノールアンモニウムであり、ｐが平均１．０、ｑが平均２．０の化合物である。また、ガスクロマトグラフ分析及びＮＭＲ分析の結果、得られた組成物には、一般式（２）で示される化合物が８０質量％含まれていた。
【０１１５】
（ｂ−４）：下記製造法（ｂ４）により製造された陰イオン界面活性剤〔表中の配合量は（ｂ）成分相当の酸型の配合量であり、対塩のモノエタノールアミン（この製造法で用いた全量）は（ｆ）成分に合計した。〕
＜製造法（ｂ４）＞
製造法（ｂ１）と同様にして炭素数１２、および１４の直鎖１級アルコール（商品名：カルコール２４７０）の脱水を行った。脱水後窒素置換を行い、１２０℃まで昇温した後、ＰＯを１４６０ｇ仕込んだ。１２０℃にて付加反応・熟成を行った後、１４５℃に昇温し、ＥＯを１１０７ｇ仕込んだ。１４５℃にて付加反応・熟成を行った後、８０℃まで冷却し、４．０ｋＰａで未反応のＥＯを除去した。未反応ＥＯ除去後、３．８ｇの酢酸をオートクレーブ内に加え、８０℃で３０分間攪拌した後、抜き出しを行い、平均ＰＯ付加モル数ｐが２．０、平均ＥＯ付加モル数ｑが２．０であるアルコキシレートを得た。
得られたアルコキシレートを製造法（ｂ１）と同様に硫酸化した後、中和し、アルキルエーテル硫酸エステル塩〔（ｂ−４）〕を含む組成物を得た。
ガスクロマトグラフ分析及びＮＭＲ分析の結果、得られた（ｂ−４）は一般式（２）において、Ｒ2が炭素数１２、１４の直鎖１級アルキル基であり、Ａ2Ｏがプロピレンオキシ基、Ｍがモノエタノールアンモニウムであり、ｐが平均２．０、ｑが平均２．０の化合物である。また、ガスクロマトグラフ分析及びＮＭＲ分析の結果、得られた組成物には、一般式（２）で示される化合物が８０質量％含まれていた。
【０１１６】
（ｂ’）成分：（ｂ）成分の比較化合物
（ｂ’−１）：一般式（２）において、Ｒ2が炭素数１２、１４の直鎖１級アルキル基であり、Ａ2Ｏがプロピレンオキシ基、Ｍがモノエタノールアンモニウムであり、ｐが０であり、ｑが平均２．０の化合物である。
【０１１７】
（ｃ）成分
（ｃ−１）：ジエチレングリコールモノブチルエーテル
（ｃ−２）：プロピレングリコール
（ｃ−３）：１，６−ヘキサンジオール
【０１１８】
（ｄ）成分
（ｄ−１）：ヤシ油由来の炭素数１０〜１４の１級直鎖アルコール１モル当りにエチレンオキサイドを９モル、プロピレンオキサイドを２モル、エチレンオキサイドを９モルの順にブロック付加反応させたもの。〔式Ｒ3Ｏ−（ＥＯ）n11−（Ａ2Ｏ）n2−（ＥＯ）n12Ｈにおいて、Ｒ3が炭素数１０〜１４の直鎖のアルキル基であり、Ａ2Ｏがオキシプロピレン基であり、ｎ１１が平均９、ｎ２が平均２及びｎ１２が平均９の化合物。〕
【０１１９】
（ｅ）成分
（ｅ−１）：炭素数１０〜１４の直鎖アルキル基を有するアルキルベンゼンスルホン酸
（ｅ−２）：ルナックＬ−５５（商品名）（ヤシ油系脂肪酸；花王株式会社製）
【０１２０】
（ｆ）成分
（ｆ−１）：モノエタノールアミン（（ｂ）成分の対イオンとしての配合量を含む）
【０１２１】
＜その他の成分＞
ポリマー（１）：特開平１０−６０４７６号公報の段落００２０の合成例１の方法で合成した高分子化合物。
蛍光染料：チノパールＣＢＳ−Ｘ（商品名）（チバスペシャリティケミカルズ製）
酵素（１）：エバラーゼ１６．０Ｌ−ＥＸ（商品名）（プロテアーゼ、ノボザイム社製）酵素（２）：ステインザイム（商品名）（アミラーゼ、ノボザイム社製）
色素（１）：緑色２０２号
色素（２）：黄色２０３号
【０１２２】
（１）洗浄力評価
＜評価用の汚染布の調製＞
・モデル皮脂人工汚染布の調製
下記組成のモデル皮脂人工汚染液を布に付着してモデル皮脂人工汚染布を調製した。モデル皮脂人工汚染液の布への付着は、グラビアロールコーターを用いて人工汚染液を布に印刷することで行った。モデル皮脂人工汚染液を布に付着させモデル皮脂人工汚染布を作製する工程は、グラビアロールのセル容量５８ｃｍ3／ｍ2、塗布速度１．０ｍ／ｍｉｎ、乾燥温度１００℃、乾燥時間１ｍｉｎで行った。布は木綿２００３（谷頭商店製）を使用した。
【０１２３】
＊モデル皮脂人工汚染液の組成：ラウリン酸０．４質量％、ミリスチン酸３．１質量％、ペンタデカン酸２．３質量％、パルミチン酸６．２質量％、ヘプタデカン酸０．４質量％、ステアリン酸１．６質量％、オレイン酸７．８質量％、トリオレイン１３．０質量％、パルミチン酸ｎ-ヘキサデシル２．２質量％、スクアレン６．５質量％、卵白レシチン液晶物１．９質量％、鹿沼赤土８．１質量％、カーボンブラック０．０１質量％、水残部（合計１００質量％）
【０１２４】
・ミートソース汚染布の調製
市販のレトルトミートソース（日清フーズ（株）製  マ・マー  ミートソース（缶）、２０１２年７月購入）を木綿メリヤス布（谷頭商店製）に０．１５ｇ塗布し、均一に塗り広げて室温で１２時間乾燥させたものを試験に供した。
【０１２５】
＜洗浄評価方法（１）＞
（１−１）洗浄力の評価
液体洗浄剤組成物を、上記で作製したミートソース汚染布（６ｃｍ×６ｃｍ）５枚に、それぞれ６７μＬ直接塗り、その状態で５分間静置したのち、１Ｌの水道水に入れてターゴトメーター（Ueshima, MS-8212）にて８５ｒｐｍで洗浄した。洗浄条件は洗浄時間１０分、洗浄時の洗剤組成物の濃度０．０３３質量％、水温は２０℃であり、浴比は２０（木綿２００３（谷頭商店製）を６ｃｍ×６ｃｍに裁断した布で調整）であり、洗浄後、水道水（２０℃）で３分間すすいだ。
汚染前の原布、及び洗浄前後の５５０ｎｍにおける反射率を測色色差計（日本電色株式会社製 Ｚ−３００Ａ）にて測定し、次式によって洗浄率（％）を求めた（洗浄率は５枚の洗浄率の平均値）。
洗浄率（％）＝１００×［（洗浄後の反射率−洗浄前の反射率）／（原布の反射率−洗浄前の反射率）］
【０１２６】
比較例３の組成物の洗浄率（％）（表中のかっこ内の数値で示した）を基準として、次式によって相対洗浄値（１）を求めた。結果を表に示した。
相対洗浄値（１）＝〔対比する実施例又は比較例の洗浄率（％）〕−〔比較例３（基準組成物）の洗浄率（％）〕
相対洗浄値（１）の値が高い程、洗浄力が高いことを示す。相対洗浄値（１）の差が３以上あれば有意な差が認められる。
【０１２７】
（１−２）洗浄速度の評価（１）
上記で作製したモデル皮脂人工汚染布（６ｃｍ×６ｃｍ）５枚を、ターゴトメーター（Ueshima, MS-8212）にて、８５ｒｐｍで５分間又は１０分間洗浄した。洗浄条件は、何れも液体洗浄剤組成物濃度０．０３３質量％、水温は２０℃であり、浴比は２０（木綿２００３（谷頭商店製）を６ｃｍ×６ｃｍに裁断した布で調整）であり、洗浄後、水道水（２０℃）で３分間すすいだ。洗浄率を上記（１−１）の方法にて測定し、５枚の平均値を求めた。洗浄時間５分、１０分の各洗浄率（平均値）により、次式によって５分／１０分洗浄相対値（１）を求めた。結果を表に示した。なお、表には、この洗浄速度の評価（１）における洗浄時間５分の洗浄率（平均値）も、「５分後洗浄率（１）」として示した。
５分／１０分洗浄相対値（１）（洗浄速度）＝洗浄時間５分における洗浄率（％）／洗浄時間１０分における洗浄率（％）
【０１２８】
【表１】
2014141631.tif 000002
【０１２９】
＜実施例１０〜２７、比較例６、７＞
実施例１等と同様に表２に示す成分を混合して表２に記載の衣料用液体洗浄剤組成物を調製し、下記の「洗浄評価方法（２）」で洗浄力と洗浄速度を評価した。結果を表２に示す。
比較例６は特許文献１の実施例１０に近い組成である。
【０１３０】
＜洗浄評価方法（２）＞
（２−１）洗浄力の評価
比較例３の代わりに比較例６を基準とした以外は、実施例１等の前記の「（１−１）洗浄力の評価」と同じ評価方法で行った。ここでの評価結果は、「相対洗浄値（２）」とした。
【０１３１】
（２−２）洗浄速度の評価（２）
実施例１等で作製したモデル皮脂人工汚染布（６ｃｍ×６ｃｍ）５枚を、ターゴトメーター（Ueshima, MS-8212）にて、８５ｒｐｍで５分間又は１０分間洗浄した。その際、水道水（２０℃）に、液体洗浄剤組成物とモデル皮脂人口汚染布とを同時に添加して洗浄した。洗浄条件は、何れも液体洗浄剤組成物濃度０．０３３質量％、水温は２０℃であり、浴比は２０（木綿２００３（谷頭商店製）を６ｃｍ×６ｃｍに裁断した布で調整）であり、洗浄後、水道水（２０℃）で３分間すすいだ。洗浄率を上記（２−１）の方法にて測定し、５枚の平均値を求めた。洗浄時間５分、１０分の各洗浄率（平均値）により、次式いよって５分／１０分洗浄相対値（２）を求めた。結果を表に示した。なお、表には、この洗浄速度の評価（２）における洗浄時間５分の洗浄率（平均値）も、「５分後洗浄率（２）」として示した。
５分／１０分洗浄相対値（２）（洗浄速度）＝洗浄時間５分における洗浄率（％）／洗浄時間１０分における洗浄率（％）
【０１３２】
【表２】
2014141631.tif 000003
【０１３３】
＊１  （ｂ）成分から取り込まれる分の量も含む。
【０１３４】
＜実施例２８〜３０、比較例８〜１０＞
実施例１等と同様に表３に示す成分を混合して表３に記載の衣料用液体洗浄剤組成物を調製し、下記の「洗浄評価方法（３）」で洗浄力を評価した。結果を表３に示す。
【０１３５】
＜洗浄評価方法（３）＞
（３−１）皮脂汚れの洗浄率（％）
実施例１０等の前記「（２−２）洗浄速度の評価（２）」において、浴比を１２とした時の洗浄時間５分の洗浄率（平均値）を測定し、「５分後洗浄率（３）」として表に示した。
【０１３６】
【表３】
2014141631.tif 000004
【０１３７】
＊１  （ｂ）成分から取り込まれる分の量も含む。
【０１３８】
表３の実施例２８と表１の実施例１、表３の実施例２９と表１の実施例２、又は表３の実施例３０と表１の実施例３は浴比のみが異なる。洗浄時間５分の洗浄率はほぼ同等であり、浴比が低くなっても良好な洗浄力を示す。一方、表３の比較例８と表１の比較例１、表３の比較例９と表１の比較例３、又は表３の比較例１０と表１の比較例８における洗浄時間５分の洗浄率を比較すると、浴比１２と低い浴比で洗浄された比較例８〜１０の方が、浴比２０で洗浄された場合よりも洗浄率の低下が大きいことがわかる。
【０１３９】
＜実施例３１〜３９＞
（ｂ）成分として、一般式（２）中のｐとｑの異なる種々の陰イオン界面活性剤を用いて液体洗浄剤組成物を調製し、実施例１０等の洗浄評価方法（２）の方法で、洗浄速度の評価（２）を評価した。結果を表４に示す。なお、本例で用いた（ｂ）成分は以下のものである。
【０１４０】
（ｂ−５）：前記製造法（ｂ４）と同じ原料及び同様な製造方法により製造された陰イオン界面活性剤であり、一般式（２）中の平均ＰＯ付加モル数ｐが１．０、平均ＥＯ付加モル数ｑが１．０の化合物である。表中の配合量は（ｂ）成分相当の酸型の配合量であり、対塩のモノエタノールアミン（この製造法で用いた全量）は（ｆ）成分に合計した。
（ｂ−６）：前記製造法（ｂ４）と同じ原料及び同様な製造方法により製造された陰イオン界面活性剤であり、一般式（２）中の平均ＰＯ付加モル数ｐが１．０、平均ＥＯ付加モル数ｑが３．０の化合物である。表中の配合量は（ｂ）成分相当の酸型の配合量であり、対塩のモノエタノールアミン（この製造法で用いた全量）は（ｆ）成分に合計した。
（ｂ−７）：前記製造法（ｂ４）と同じ原料及び同様な製造方法により製造された陰イオン界面活性剤であり、一般式（２）中の平均ＰＯ付加モル数ｐが２．０、平均ＥＯ付加モル数ｑが１．０の化合物である。表中の配合量は（ｂ）成分相当の酸型の配合量であり、対塩のモノエタノールアミン（この製造法で用いた全量）は（ｆ）成分に合計した。
（ｂ−８）：前記製造法（ｂ４）と同じ原料及び同様な製造方法により製造された陰イオン界面活性剤であり、一般式（２）中の平均ＰＯ付加モル数ｐが２．０、平均ＥＯ付加モル数ｑが３．０の化合物である。表中の配合量は（ｂ）成分相当の酸型の配合量であり、対塩のモノエタノールアミン（この製造法で用いた全量）は（ｆ）成分に合計した。
（ｂ−９）：前記製造法（ｂ４）と同じ原料及び同様な製造方法により製造された陰イオン界面活性剤であり、一般式（２）中の平均ＰＯ付加モル数ｐが３．０、平均ＥＯ付加モル数ｑが１．０の化合物である。表中の配合量は（ｂ）成分相当の酸型の配合量であり、対塩のモノエタノールアミン（この製造法で用いた全量）は（ｆ）成分に合計した。
（ｂ−１０）：前記製造法（ｂ４）と同じ原料及び同様な製造方法により製造された陰イオン界面活性剤であり、一般式（２）中の平均ＰＯ付加モル数ｐが３．０、平均ＥＯ付加モル数ｑが２．０の化合物である。表中の配合量は（ｂ）成分相当の酸型の配合量であり、対塩のモノエタノールアミン（この製造法で用いた全量）は（ｆ）成分に合計した。
（ｂ−１１）：前記製造法（ｂ４）と同じ原料及び同様な製造方法により製造された陰イオン界面活性剤であり、一般式（２）中の平均ＰＯ付加モル数ｐが３．０、平均ＥＯ付加モル数ｑが３．０の化合物である。表中の配合量は（ｂ）成分相当の酸型の配合量であり、対塩のモノエタノールアミン（この製造法で用いた全量）は（ｆ）成分に合計した。
【０１４１】
【表４】
2014141631.tif 000005
【０１４２】
＊１  （ｂ）成分から取り込まれる分の量も含む。
【０１４３】
＜配合例１〜１６＞
（ｂ）成分として、一般式（２）中のｐとｑの異なる種々の陰イオン界面活性剤を用いて、表５、６に示す衣料用液体洗浄剤組成物を調製した。なお、本例で用いた（ｂ）成分は以下のものである。配合例１〜１６は本発明の効果を有すると考えられる。
【０１４４】
（ｂ−１２）：前記製造法（ｂ４）と同じ原料及び同様な製造方法により製造された陰イオン界面活性剤であり、一般式（２）中の平均ＰＯ付加モル数ｐが４．０、平均ＥＯ付加モル数ｑが１．０の化合物である。表中の配合量は（ｂ）成分相当の酸型の配合量であり、対塩のモノエタノールアミン（この製造法で用いた全量）は（ｆ）成分に合計した。
（ｂ−１３）：前記製造法（ｂ４）と同じ原料及び同様な製造方法により製造された陰イオン界面活性剤であり、一般式（２）中の平均ＰＯ付加モル数ｐが４．０、平均ＥＯ付加モル数ｑが２．０の化合物である。表中の配合量は（ｂ）成分相当の酸型の配合量であり、対塩のモノエタノールアミン（この製造法で用いた全量）は（ｆ）成分に合計した。
（ｂ−１４）：前記製造法（ｂ４）と同じ原料及び同様な製造方法により製造された陰イオン界面活性剤であり、一般式（２）中の平均ＰＯ付加モル数ｐが４．０、平均ＥＯ付加モル数ｑが３．０の化合物である。表中の配合量は（ｂ）成分相当の酸型の配合量であり、対塩のモノエタノールアミン（この製造法で用いた全量）は（ｆ）成分に合計した。
（ｂ−１５）：前記製造法（ｂ４）と同じ原料及び同様な製造方法により製造された陰イオン界面活性剤であり、一般式（２）中の平均ＰＯ付加モル数ｐが４．０、平均ＥＯ付加モル数ｑが４．０の化合物である。表中の配合量は（ｂ）成分相当の酸型の配合量であり、対塩のモノエタノールアミン（この製造法で用いた全量）は（ｆ）成分に合計した。
（ｂ−１６）：前記製造法（ｂ４）と同じ原料及び同様な製造方法により製造された陰イオン界面活性剤であり、一般式（２）中の平均ＰＯ付加モル数ｐが４．０、平均ＥＯ付加モル数ｑが５．０の化合物である。表中の配合量は（ｂ）成分相当の酸型の配合量であり、対塩のモノエタノールアミン（この製造法で用いた全量）は（ｆ）成分に合計した。
（ｂ−１７）：前記製造法（ｂ４）と同じ原料及び同様な製造方法により製造された陰イオン界面活性剤であり、一般式（２）中の平均ＰＯ付加モル数ｐが５．０、平均ＥＯ付加モル数ｑが１．０の化合物である。表中の配合量は（ｂ）成分相当の酸型の配合量であり、対塩のモノエタノールアミン（この製造法で用いた全量）は（ｆ）成分に合計した。
（ｂ−１８）：前記製造法（ｂ４）と同じ原料及び同様な製造方法により製造された陰イオン界面活性剤であり、一般式（２）中の平均ＰＯ付加モル数ｐが５．０、平均ＥＯ付加モル数ｑが２．０の化合物である。表中の配合量は（ｂ）成分相当の酸型の配合量であり、対塩のモノエタノールアミン（この製造法で用いた全量）は（ｆ）成分に合計した。
（ｂ−１９）：前記製造法（ｂ４）と同じ原料及び同様な製造方法により製造された陰イオン界面活性剤であり、一般式（２）中の平均ＰＯ付加モル数ｐが５．０、平均ＥＯ付加モル数ｑが３．０の化合物である。表中の配合量は（ｂ）成分相当の酸型の配合量であり、対塩のモノエタノールアミン（この製造法で用いた全量）は（ｆ）成分に合計した。
（ｂ−２０）：前記製造法（ｂ４）と同じ原料及び同様な製造方法により製造された陰イオン界面活性剤であり、一般式（２）中の平均ＰＯ付加モル数ｐが５．０、平均ＥＯ付加モル数ｑが４．０の化合物である。表中の配合量は（ｂ）成分相当の酸型の配合量であり、対塩のモノエタノールアミン（この製造法で用いた全量）は（ｆ）成分に合計した。
（ｂ−２１）：前記製造法（ｂ４）と同じ原料及び同様な製造方法により製造された陰イオン界面活性剤であり、一般式（２）中の平均ＰＯ付加モル数ｐが５．０、平均ＥＯ付加モル数ｑが５．０の化合物である。表中の配合量は（ｂ）成分相当の酸型の配合量であり、対塩のモノエタノールアミン（この製造法で用いた全量）は（ｆ）成分に合計した。
（ｂ−２２）：前記製造法（ｂ４）と同じ原料及び同様な製造方法により製造された陰イオン界面活性剤であり、一般式（２）中の平均ＰＯ付加モル数ｐが１．０、平均ＥＯ付加モル数ｑが４．０の化合物である。表中の配合量は（ｂ）成分相当の酸型の配合量であり、対塩のモノエタノールアミン（この製造法で用いた全量）は（ｆ）成分に合計した。
（ｂ−２３）：前記製造法（ｂ４）と同じ原料及び同様な製造方法により製造された陰イオン界面活性剤であり、一般式（２）中の平均ＰＯ付加モル数ｐが１．０、平均ＥＯ付加モル数ｑが５．０の化合物である。表中の配合量は（ｂ）成分相当の酸型の配合量であり、対塩のモノエタノールアミン（この製造法で用いた全量）は（ｆ）成分に合計した。
（ｂ−２４）：前記製造法（ｂ４）と同じ原料及び同様な製造方法により製造された陰イオン界面活性剤であり、一般式（２）中の平均ＰＯ付加モル数ｐが２．０、平均ＥＯ付加モル数ｑが４．０の化合物である。表中の配合量は（ｂ）成分相当の酸型の配合量であり、対塩のモノエタノールアミン（この製造法で用いた全量）は（ｆ）成分に合計した。
（ｂ−２５）：前記製造法（ｂ４）と同じ原料及び同様な製造方法により製造された陰イオン界面活性剤であり、一般式（２）中の平均ＰＯ付加モル数ｐが２．０、平均ＥＯ付加モル数ｑが５．０の化合物である。表中の配合量は（ｂ）成分相当の酸型の配合量であり、対塩のモノエタノールアミン（この製造法で用いた全量）は（ｆ）成分に合計した。
（ｂ−２６）：前記製造法（ｂ４）と同じ原料及び同様な製造方法により製造された陰イオン界面活性剤であり、一般式（２）中の平均ＰＯ付加モル数ｐが３．０、平均ＥＯ付加モル数ｑが４．０の化合物である。表中の配合量は（ｂ）成分相当の酸型の配合量であり、対塩のモノエタノールアミン（この製造法で用いた全量）は（ｆ）成分に合計した。
（ｂ−２７）：前記製造法（ｂ４）と同じ原料及び同様な製造方法により製造された陰イオン界面活性剤であり、一般式（２）中の平均ＰＯ付加モル数ｐが３．０、平均ＥＯ付加モル数ｑが５．０の化合物である。表中の配合量は（ｂ）成分相当の酸型の配合量であり、対塩のモノエタノールアミン（この製造法で用いた全量）は（ｆ）成分に合計した。
【０１４５】
【表５】
2014141631.tif 000006
【０１４６】
【表６】
2014141631.tif 000007
【０１４７】
＊１  （ｂ）成分から取り込まれる分の量も含む。